(57)【要約】【課題】ウェブブラウザのツールバーなどからフィルタリング用サーバへ照会を行うことにより、ツールバー領域などにおいてウェブ閲覧状況に応じた情報コンテンツの提供や利用、設定変更操作なども可能とし、ウェブ閲覧という好機をマーケティングやコンテンツ提供などに有効活用する。【解決手段】対象側端末Ｂの照会制御部５は、少なくとも年齢層を含む属性情報１５を保持し、ウェブブラウザＰ１で閲覧操作が行われたＵＲＬについて前記属性情報を伴う照会をルックアップサーバＦＳへ送信し、その返信結果に応じウェブブラウザＰ１での表示の可否を制御する。ツールバー制御部１０は、ウェブブラウザＰ１の表示ウィンドウＷの一部に割り当てられるツールバー領域Ｔにより操作の受付及び情報コンテンツの表示を行う。【選択図】図１
2006302265.tif 000002
【特許請求の範囲】
【請求項１】
ユーザによる操作を受け付ける入力部と、通信ネットワークと通信するための通信部と、画面表示部と、前記各部の制御及びウェブブラウザプログラムの実行を含む情報処理を行うコンピュータの制御部と、を備えたコンピュータの前記制御部を、前記ウェブブラウザとともに活動する所定のツールバープログラムで制御することにより、
少なくともユーザの年齢層を含む属性情報を、前記プログラムのダウンロード時又はインストール時もしくはインストール後の設定入力で入力受付して所定の属性記憶手段に記憶して保持し、前記ウェブブラウザから閲覧操作が行われたＵＲＬを得てそのＵＲＬについて前記属性記憶手段に記憶されている前記属性情報を伴う照会を所定のフィルタリング用サーバシステムへ送信し、その返信結果に応じ前記ウェブブラウザでの表示の可不可を制御する照会制御処理と、
前記ウェブブラウザの表示ウィンドウの一部に割り当てられるツールバー領域により操作の受付と、及び所定のサーバシステムから受信する情報コンテンツの表示を行うツールバー制御処理と、
を実現することを特徴とするフィルタリング方法。
【請求項２】
通信ネットワークと通信するための通信部と、コンピュータの演算制御部と、
内容の種別ごとにＵＲＬのブラックリストを予め記憶したブラックリスト記憶手段と、
ユーザの年齢ごとに、前記ブラックリストのどの前記種別をブロックするかを記憶したパタン記憶手段と、
を備えたサーバシステムを用いたフィルタリング方法において、
サービス提供対象のクライアントシステムである対象システムから前記通信ネットワーク経由で、閲覧しようとするＵＲＬとユーザの年齢を含む属性情報を伴う照会を受信すると、その年齢に対応してブロックする前記種別を前記パタン記憶部から取得し、その種別について前記ブラックリスト記憶手段に記憶されている前記ブラックリストに前記ＵＲＬが含まれるか判定し、含まれると閲覧を不可、含まれないと閲覧を可、とする返信を行う、応答処理と、
を前記演算制御部が実現することを特徴とするフィルタリング方法。
【請求項３】
請求項１のツールバープログラムをインストールした一又は二以上のコンピュータを管理の対象側端末とし、
操作及び情報の入力部と、ネットワーク通信のための通信部と、画面表示部と、制御部とを備え前記ツールバープログラムと通信する設定側プログラムをインストールしたコンピュータである管理側端末と、ＬＡＮで接続して用いるフィルタリング方法において、
前記管理側端末の前記設定側プログラム及び前記制御部により、前記各対象側端末の前記ツールバープログラムに対して、
対象側端末ごと、対象側端末にログインするユーザごと、又は日時帯ごと、のいずれか又は二以上を組み合わせた対象条件ごとに、フィルタリング又は他の動作について条件の設定を行う設定部と、
前記対象条件ごとに、アクセス履歴の一覧表示又は集計グラフ表示、情報の配信、の少なくともいずれかを行う情報部と、
を実現することを特徴とするフィルタリング方法。
【請求項４】
請求項３記載のフィルタリング方法と、サーバシステムとを、通信ネットワーク経由で組み合わせたフィルタリング方法において、
前記管理側端末で前記対象条件の指定とともに入力される要求操作に応じて、前記サーバシステムが、その対象条件に係る前記対象側端末において前記照会により表示が許可され又は禁止されたＵＲＬのウェブページについて、履歴を所定の記憶手段に蓄積しておくと共にその履歴に基づき、各ウェブページに含まれる文字列又は画像の少なくとも一方の一部を含むサマリーを前記管理側端末へ送信して表示させる
ことを特徴とするフィルタリング方法。
【請求項５】
前記情報部は、対象側端末が表示を要求し、前記照会により表示が許可され又は禁止された各ＵＲＬの又はその配下のウェブページにアクセスし、そのウェブページ内の文字列間の照合により繰り返し登場する頻出文字列を特定し、その文字列又はそのＵＲＬのウェブページ内の画像の一部、の少なくとも一方を含むサマリーを表示する
ことを特徴とする請求項３又は４記載のフィルタリング方法。
【請求項６】
請求項１記載のフィルタリング方法を用いるコンピュータであるクライアントシステムと、請求項２記載のサーバシステムを用いたフィルタリング方法と、を通信ネットワーク経由で組み合わせたフィルタリング方法において、
前記クライアントシステム側は、前記ツールバープログラムにおいて保持する識別情報を伴う前記照会を前記サーバシステム側へ送信し、
前記サーバシステム側は、
前記識別情報を伴う前記照会に基づいて、各クライアントシステムからアクセスしようとしたウェブサイトのアクセスログを記録するとともに、
前記アクセスログを集計することによる所定の分析処理条件に基づいて、そのクライアントシステムの前記ツールバー領域へ提供する前記情報コンテンツへ反映させる、
ことを特徴とするフィルタリング方法。
【請求項７】
前記クライアントシステムの前記ツールバープログラムにより、前記アクセスログの収集をどの程度認めるかの選択を受け付け、
当該ツールバープログラム又は前記サーバシステムは、前記アクセスログの収集をどの程度認めるかに応じて、異なる範囲の前記情報コンテンツを提供することを特徴とする請求項６記載のフィルタリング方法。
【請求項８】
請求項１記載のフィルタリング方法を用いるために前記ツールバープログラムをインストールしたコンピュータであるクライアントシステムと、フィルタリング用サーバシステム又はウェブアクセス先となるウェブサーバシステムの少なくとも一方のサーバシステムと、をインターネットで組み合わせるフィルタリング方法において、
前記サーバシステムは、前記クライアントシステムが所定の前記属性情報を持ち、所定のＵＲＬへウェブアクセスし、及び、そのウェブアクセスにより所定の課題を達成したこと、のうち一つ又は二以上の組合せを検出した場合に、所定の表示許諾情報をそのクライアントシステムへ返信し、
そのクライアントシステムでは前記ツールバープログラムが前記制御部により、前記所定の表示許諾情報を受信した場合に、前記ツールバー領域における表示又は選択可能な機能について所定の変化を生じさせる変化制御処理を実現すること
を特徴とするフィルタリング方法。
【請求項９】
前記コンピュータの前記ツールバープログラムが前記制御部により、所定の前記属性情報を持ち、所定のＵＲＬへアクセスし、及び、所定の課題を達成したこと、のうち一つ又は二以上の組合せを検出した場合に、前記ツールバー領域における表示又は選択可能な機能について所定の変化を生じさせる変化制御処理を実現すること
を特徴とする請求項１記載のフィルタリング方法。
【請求項１０】
請求項１から９のいずれか一項に記載のフィルタリング方法において、
各対象システムに対応する所定の管理者ユーザの用いるクライアントシステムからの前記通信ネットワーク経由でのアクセスを認証のうえ、対象システムについて、制限回数と、通知先電子メールアドレスと、の設定を受け付けて所定の個別設定記憶手段に記憶させる、設定受付処理と、
対象システムについて、前記応答手段が不可とした返信の回数をカウントしてゆき、この回数が前記個別設定記憶手段に記憶されている前記制限回数を超過したかを監視し超過したときに、対応する前記通知先電子メールアドレスに、ウェブ又は電子メールの一以上の応答用アドレスを記載した通知電子メールを送信する、超過通知処理と、
前記通知電子メールに記載した前記応答用アドレスへの応答アクセスの有無、又は複数の応答用アドレスのどれに応答アクセスがあったか、に基づいて、全部又は一部のウェブ閲覧を禁止し、又はフィルタリング対象の種別又は他のフィルタリング設定を変更する、設定変更処理と、
をサーバシステムの制御部が実行することを特徴とするフィルタリング方法。
【請求項１１】
請求項１から１０のいずれか一項に記載のフィルタリング方法において、クライアントシステムの演算制御部が、
ＵＲＬの照会に対しフィルタリング用サーバシステムから、ホワイトリストに含まれる旨の返信を受信すると、マスコットキャラクタの状態劣化を画面表示すると共に所定の状態記憶手段に記憶されている前記状態スコアを改善させ、ブラックリストに含まれる旨の返信を受信すると、前記マスコットキャラクタの状態改善を画面表示すると共に前記状態記憶手段に記憶されている状態スコアを悪化させる、変化制御処理を実行することを特徴とするフィルタリング方法。
【請求項１２】
請求項２、６、７又は１０のいずれか一項に記載のフィルタリング方法において、
各対象システムに対応する所定の管理者ユーザの用いるクライアントシステムからの前記通信ネットワーク経由でのアクセスを認証のうえ、対象システムについて、指定されるユーザの年齢に応じ前記パタン記憶手段からコピーし又は種別ごとに個別に指定される閲覧可否に応じて、どの前記種別をブロックするかのフィルタリング設定を、所定の個別設定記憶手段に記憶させる設定受付処理と、
をサーバシステムの前記制御部が実行し、
前記設定受付処理は、前記個別設定記憶手段に記憶されている前記フィルタリング設定をもとに、種別ごとに選択されている閲覧可否を年齢別に集計し、可又は不可のより多い選択肢を設定画面の初期値として表示する
ことを特徴とするフィルタリング方法。
【請求項１３】
前記サーバシステムでは、
各対象システムに対応する所定の管理者ユーザの用いるクライアントシステムからの前記通信ネットワーク経由でのアクセスを認証のうえ、対象システムについて、種別ごと又は合計について、ページリクエストの許容回数の設定を受け付けて前記個別設定記憶手段に記憶させる、設定受付処理を前記制御部が実行し、
前記応答処理は、前記パタン記憶部又は前記個別設定記憶手段に基づいて閲覧を不可とすべきＵＲＬであっても、前記許容回数までは閲覧を可とする
ことを特徴とする請求項１から１２のいずれか一項に記載のフィルタリング方法。
【請求項１４】
ユーザによる操作を受け付ける入力部と、通信ネットワークと通信するための通信部と、画面表示部と、ウェブブラウザと、コンピュータの演算制御部と、を備えたクライアントシステムにおいて、
前記通信部を介した外部からのアクセスにおいて権限あるユーザを認証のうえ又は前記入力部から、ユーザの年齢情報を含む属性情報について設定登録を受け付けて所定の属性記憶手段に記憶させる、属性情報受付手段と、
前記ウェブブラウザから閲覧操作が行われたＵＲＬを得てそのＵＲＬについて、前記属性記憶手段に記憶されている前記属性情報を伴う照会を所定のフィルタリング用サーバシステムへ送信し、その返信結果に応じ前記ウェブブラウザでの表示の可不可を制御する照会制御処理と、
前記ウェブブラウザの表示ウィンドウとともに画面表示される領域により、操作の受付と、及び前記通信ネットワークから受信する情報コンテンツの表示を行う手段と、
を前記演算制御部により実現することを特徴とするクライアントシステム。
【請求項１５】
通信ネットワークと通信するための通信部と、コンピュータの演算制御部と、
を備えたフィルタリング用のサーバシステムにおいて、
内容の種別ごとにＵＲＬのブラックリストを予め記憶したブラックリスト記憶手段と、
ユーザの年齢ごとに、前記ブラックリストのどの前記種別をブロックするかを記憶したパタン記憶手段と、
サービス提供対象のクライアントシステムである対象システムから前記通信ネットワーク経由で、閲覧しようとするＵＲＬとユーザの年齢を含む属性情報を伴う照会を受信すると、その年齢に対応してブロックする前記種別を前記パタン記憶部から取得し、その種別について前記ブラックリスト記憶手段に記憶されている前記ブラックリストに前記ＵＲＬが含まれるか判定し、含まれると閲覧を不可、含まれないと閲覧を可、とする返信を行う、応答手段と、
を前記演算制御部が実現することを特徴とするサーバシステム。
【請求項１６】
請求項１４記載のクライアントシステムを管理の対象側端末とし、
操作及び情報の入力部と、ネットワーク通信のための通信部と、画面表示部と、制御部とを備えたコンピュータを管理側端末として、前記対象側端末とＬＡＮ接続したフィルタリングシステムにおいて、
前記管理側端末の前記制御部により、
対象側端末ごと、対象側端末にログインするユーザごと、又は日時帯ごと、のいずれか又は二以上を組み合わせた対象条件ごとに、フィルタリング又は他の動作について条件の設定を行う設定手段と、
前記対象条件ごとに、対象側端末からアクセスしようとしたアクセス履歴の転送を受けてその一覧表示、指定の条件に応じた集計グラフの表示、又は通信ネットワークから受信して表示する情報コンテンツの設定、の少なくともいずれかを行う情報手段と、
を実現することを特徴とするフィルタリングシステム。
【請求項１７】
請求項１６記載のフィルタリングシステムにおいて、前記管理側端末の前記制御部が、
前記対象側端末から、閲覧操作を行ったＵＲＬの履歴を受信し記憶する履歴記憶手段と、
前記履歴記憶手段に記憶されている履歴中の各ウェブページ又はそのリンク先、配下もしくは上位のディレクトリ内のウェブページにアクセスし、各ウェブページ内の文字列又は画像の一部をサマリーとして表示させるサマリー表示手段と、
を実現することを特徴とするフィルタリングシステム。
【請求項１８】
請求項１５記載のサーバシステムにおいて、
前記対象システムへ情報コンテンツを提供するコンテンツ提供手段と、
前記対象システムからの前記照会に基づき、アクセスしようとしたＵＲＬのアクセスログを記憶するアクセスログ記憶手段と、
ユーザの年齢又はアクセスログで成立すべき条件と、情報コンテンツの範囲ごとの提供可否と、を対応付けて予め記憶した条件記憶手段と、
前記アクセスログ記憶手段に記憶されているアクセスログ又はユーザの年齢について、前記条件記憶手段に記憶されている前記条件の成否を判断することにより、対応する情報コンテンツの範囲ごとの提供可否を判断して前記コンテンツ提供手段に反映させる判断反映手段と、
を前記演算制御部が実現することを特徴とするサーバシステム。
【請求項１９】
前記対象システムについて前記アクセスログの収集をどの程度まで認めるかについて、ドメイン名まで、ホスト名もしくはサブドメイン名まで、又は配下ディレクトリの何階層目まで認めるかの選択を受け付けて選択内容を記憶するログ程度選択受付手段を前記演算制御部が実現し、
前記判断反映手段は、前記ログ程度選択受付手段での選択内容に応じて、情報コンテンツについて異なる提供範囲を前記コンテンツ提供手段に反映させる
ことを特徴とする請求項１５又は１８記載のサーバシステム。
【請求項２０】
前記対象システムにインストールされ、ユーザの年齢を含む属性情報と、グラフィックキャラクタもしくは機能部品を画面表示し又はその外観もしくは機能を変化させる変化制御手段と、を備えたフィルタリング用クライアントプログラムと通信ネットワーク経由で通信する請求項１５、１８又は１９のいずれか一項に記載のサーバシステムにおいて、
前記対象システムが、どのような属性情報を持ち、かつ、どのＵＲＬへアクセスしたときに又はどのＵＲＬへアクセスしてどのような課題を達成したときに、前記グラフィックキャラクタを表示させ又はその外観をどのように変化させるか、の変化条件を記憶する条件記憶手段と、
前記ＵＲＬへのアクセスと、前記課題の達成と、それらアクセスないし達成にかかる対象システムの前記属性情報と、の情報をその対象システム又はＵＲＬのサーバシステムから受信し、受信した情報に基づいて前記条件記憶手段に記憶された前記変化条件の成立を判断し、前記グラフィックキャラクタもしくは機能部品を表示させ又はその外観もしくは機能をどのように変化させるかを制御する制御情報を、前記クライアントプログラムに送信する判断反映手段と、
を前記演算制御部を制御することにより実現することを特徴とするサーバシステム。
【請求項２１】
所定のサーバシステムから送信される制御情報に基づいて、グラフィックキャラクタもしくは機能部品を画面表示し又はその外観もしくは機能を変化させる変化制御手段を、前記演算制御部が実現することを特徴とする請求項１４記載のクライアントシステム。
【請求項２２】
グラフィックキャラクタもしくは機能部品を画面表示し又はその外観もしくは機能を変化させる変化制御手段と、
どのような前記属性情報を持ち、かつ、どのＵＲＬへアクセスしたときに又はどのＵＲＬへアクセスしてどのような課題を達成したときに、前記グラフィックキャラクタもしくは機能部品を表示させ又はその外観もしくは機能をどのように変化させるか、の変化条件を記憶する条件記憶手段と、
前記ウェブブラウザから動作内容の情報を得て前記条件記憶手段に記憶された前記変化条件の成立を検出して前記変化制御手段に反映させる反映手段と、
を前記演算制御部が実現することを特徴とする請求項１４記載のクライアントシステム。
【請求項２３】
請求項１５、１８から２０のいずれか一項に記載のサーバシステムにおいて、
対象システムごとの個別設定を記憶する個別設定記憶手段と、
各対象システムに対応する所定の管理者ユーザの用いるクライアントシステムからの前記通信ネットワーク経由でのアクセスを認証のうえ、対象システムについて、制限回数と、通知先電子メールアドレスと、の設定を受け付けて前記個別設定記憶手段に記憶させる、設定受付手段と、
対象システムについて、前記応答手段が不可とした返信の回数をカウントしてゆき、この回数が前記個別設定記憶手段に記憶されている前記制限回数を超過したことを検出して、対応する前記通知先電子メールアドレスに、ウェブ又は電子メールの一以上の応答用アドレスを記載した通知電子メールを送信する、超過通知手段と、
前記通知電子メールに記載した前記応答用アドレスへの応答アクセスの有無、又は複数の応答用アドレスのどれに応答アクセスがあったか、に基づいて、全部又は一部のウェブ閲覧を禁止し、又はフィルタリング対象の種別又は他のフィルタリング設定を変更する、設定変更手段と、
を前記制御部が実現することを特徴とするサーバシステム。
【請求項２４】
請求項１４、２１又は２２のいずれか一項に記載のクライアントシステムにおいて、その演算制御部が、
状態スコアを記憶する状態記憶手段と、
ＵＲＬの照会に対しフィルタリング用サーバシステムから、ホワイトリストに含まれる旨の返信を受信すると、マスコットキャラクタの状態劣化を画面表示すると共に前記状態記憶手段に記憶されている前記状態スコアを改善させ、ブラックリストに含まれる旨の返信を受信すると、前記マスコットキャラクタの状態改善を画面表示すると共に前記状態記憶手段に記憶されている状態スコアを悪化させる、変化制御手段と、
を実現することを特徴とするクライアントシステム。
【請求項２５】
請求項１５、１８、１９又は２３のいずれか一項に記載のサーバシステムにおいて、
各対象システムについてフィルタリング設定を記憶する個別設定記憶手段と、
各対象システムに対応する所定の管理者ユーザの用いるクライアントシステムからの前記通信ネットワーク経由でのアクセスを認証のうえ、対象システムについて、指定されるユーザの年齢に応じ前記パタン記憶手段からコピーし又は種別ごとに個別に指定される閲覧可否に応じて、どの前記種別をブロックするかのフィルタリング設定を前記個別設定記憶手段に記憶させる設定受付手段と、
を前記制御部が実現し、
前記設定受付手段は、前記個別設定記憶手段に記憶されている前記フィルタリング設定をもとに、種別ごとに選択されている閲覧可否を年齢別に集計し、可又は不可のより多い選択肢を設定画面の初期値として表示する
ことを特徴とするサーバシステム。
【請求項２６】
各対象システムに対応する所定の管理者ユーザの用いるクライアントシステムからの前記通信ネットワーク経由でのアクセスを認証のうえ、対象システムについて、種別ごと又は合計について、ページリクエストの許容回数の設定を受け付けて前記個別設定記憶手段に記憶させる、設定受付手段を前記制御部が実現し、
前記応答手段は、前記パタン記憶部又は前記個別設定記憶手段に基づいて閲覧を不可とすべきＵＲＬであっても、前記許容回数までは閲覧を可とする
ことを特徴とする請求項１５、１８、１９、２３又は２５のいずれか一項に記載のサーバシステム。
【請求項２７】
ユーザによる操作を受け付ける入力部と、通信ネットワークと通信するための通信部と、画面表示部と、ウェブブラウザと、コンピュータの演算制御部と、を備えたクライアントシステムを制御するクライアントプログラムにおいて、
そのプログラムは前記演算制御部を制御することにより、
前記通信部を介した外部からのアクセスにおいて権限あるユーザを認証のうえ又は前記入力部から、ユーザの年齢情報を含む属性情報について設定登録を受け付けて所定の属性記憶手段に記憶させる、属性情報受付処理と、
前記ウェブブラウザから閲覧操作が行われたＵＲＬを得てそのＵＲＬについて、前記属性記憶手段に記憶されている前記属性情報を伴う照会を所定のフィルタリング用サーバシステムへ送信し、その返信結果に応じ前記ウェブブラウザでの表示の可不可を制御する照会制御処理と、
前記ウェブブラウザの表示ウィンドウの一部に割り当てられる領域により、操作の受付と、及び所定のサーバシステムから受信する情報コンテンツの表示を行う処理と、
を実行させることを特徴とするクライアントプログラム。
【請求項２８】
通信ネットワークと通信するための通信部と、コンピュータの演算制御部と、
内容の種別ごとにＵＲＬのブラックリストを予め記憶したブラックリスト記憶手段と、
ユーザの年齢ごとに、前記ブラックリストのどの前記種別をブロックするかを記憶したパタン記憶手段と、
を備えたサーバシステムを制御する制御プログラムにおいて、
そのプログラムは前記演算制御部を制御することにより、
サービス提供対象のクライアントシステムである対象システムから前記通信ネットワーク経由で、閲覧しようとするＵＲＬとユーザの年齢を含む属性情報を伴う照会を受信すると、その年齢に対応してブロックする前記種別を前記パタン記憶部から取得し、その種別について前記ブラックリスト記憶手段に記憶されている前記ブラックリストに前記ＵＲＬが含まれるか判定し、含まれると閲覧を不可、含まれないと閲覧を可、とする返信を行う、応答処理
を実行させることを特徴とする制御プログラム。
【請求項２９】
ユーザによる操作を受け付ける入力部と、通信ネットワークと通信するための通信部と、画面表示部と、演算制御部と、を備えたコンピュータを制御する制御プログラムにおいて、
その制御プログラムは前記演算制御部を制御することにより、
ウェブブラウザで閲覧操作が行われたＵＲＬを所定のサーバシステムに照会してフィルタリングを行うクライアントシステムを管理の対象側端末とし、各対象側端末について、対象側端末ごと、対象側端末にログインするユーザごと、又は日時帯ごと、のいずれか一つの又は二以上を組み合わせた対象条件と、これら対象条件ごとに、フィルタリングの対象とする種別又は他のフィルタリング条件の設定と、を前記入力部から受け付けるとともにその対象側端末又は前記サーバシステムへ伝達する設定処理と、
前記対象条件ごとに、対象側端末からのアクセス履歴を対象側端末又は前記サーバシステムから受信して一覧表示し、又はブロックされた照会の前記各種別の割合を集計し集計グラフとして表示する、情報表示処理と、
を実現することを特徴とする制御プログラム。
【請求項３０】
請求項２９記載の制御プログラムにおいて、前記演算制御部を制御することにより、
前記対象側端末から、閲覧操作を行ったＵＲＬの履歴を受信し所定の履歴記憶手段に記憶させ、
前記履歴記憶手段に記憶されている履歴中の各ウェブページ又はそのリンク先、配下もしくは上位のディレクトリ内のウェブページにアクセスし、各ウェブページ内の文字列又は画像の一部をサマリーとして表示させる
ことを特徴とする制御プログラム。
【請求項３１】
請求項２８記載の制御プログラムにおいて、
その制御プログラムは前記演算制御部を制御することにより、
前記対象システムへ情報コンテンツを提供するコンテンツ提供処理と、
前記対象システムからの前記照会に基づき、アクセスしようとしたＵＲＬのアクセスログを所定のアクセスログ記憶手段に記憶させるアクセスログ記憶処理と、
を実行させ、
ユーザの年齢又はアクセスログで成立すべき条件と、情報コンテンツの範囲ごとの提供可否と、を対応付けて所定の条件記憶手段に予め記憶させておき、
前記アクセスログ記憶手段に記憶されているアクセスログ又はユーザの年齢について、前記条件記憶手段に記憶されている前記条件の成否を判断することにより、対応する情報コンテンツの範囲ごとの提供可否を判断して前記コンテンツ提供処理に反映させる判断反映処理を実行させる
ことを特徴とするサーバシステムの制御プログラム。
【請求項３２】
前記対象システムについて前記アクセスログの収集をどの程度まで認めるかについて、ドメイン名まで、ホスト名もしくはサブドメイン名まで、又は配下ディレクトリの何階層目まで認めるかの選択を受け付けて選択内容を記憶するログ程度選択受付処理を前記演算制御部に実行させ、
前記判断反映処理において、前記ログ程度選択受付処理での選択内容に応じて、情報コンテンツについて異なる提供範囲を前記コンテンツ提供処理に反映させる
ことを特徴とする請求項２８又は３１記載のサーバシステムの制御プログラム。
【請求項３３】
所定のサーバシステムから送信される制御情報に基づいて、グラフィックキャラクタもしくは機能部品を画面表示し又はその外観もしくは機能を変化させる変化制御処理を、前記演算制御部に実行させることを特徴とする請求項２７記載のクライアントプログラム。
【請求項３４】
請求項２７記載のクライアントプログラムにおいて、
グラフィックキャラクタもしくは機能部品を画面表示し又はその外観もしくは機能を変化させる変化制御処理と、
どのような前記属性情報を持ち、かつ、どのＵＲＬへアクセスしたときに又はどのＵＲＬへアクセスしてどのような課題を達成したときに、前記グラフィックキャラクタもしくは機能部品を表示させ又はその外観もしくは機能をどのように変化させるか、の変化条件を所定の条件記憶手段に記憶させる条件記憶処理と、
前記ウェブブラウザから動作内容の情報を得て前記条件記憶手段に記憶された前記変化条件の成立を検出して前記変化制御処理に反映させる反映処理と、
を前記演算制御部に実行させることを特徴とするクライアントプログラム。
【請求項３５】
請求項２８、３１又は３２のいずれか一項に記載のサーバシステムの制御プログラムにおいて、
その制御プログラムは前記演算制御部を制御することにより、
各対象システムに対応する所定の管理者ユーザの用いるクライアントシステムからの前記通信ネットワーク経由でのアクセスを認証のうえ、対象システムについて、制限回数と、通知先電子メールアドレスと、の設定を受け付けて所定の個別設定記憶手段に記憶させる、設定受付処理と、
対象システムについて、前記応答手段が不可とした返信の回数をカウントしてゆき、この回数が前記個別設定記憶手段に記憶されている前記制限回数を超過したかを監視し超過したときに、対応する前記通知先電子メールアドレスに、ウェブ又は電子メールの一以上の応答用アドレスを記載した通知電子メールを送信する、超過通知処理と、
前記通知電子メールに記載した前記応答用アドレスへの応答アクセスの有無、又は複数の応答用アドレスのどれに応答アクセスがあったか、に基づいて、全部又は一部のウェブ閲覧を禁止し、又はフィルタリング対象の種別又は他のフィルタリング設定を変更する、設定変更処理と、
を実行させることを特徴とするサーバシステムの制御プログラム。
【請求項３６】
請求項２７、３３又は３４のいずれか一項に記載のクライアントプログラムにおいて、クライアントシステムの演算制御部に、
ＵＲＬの照会に対しフィルタリング用サーバシステムから、ホワイトリストに含まれる旨の返信を受信すると、マスコットキャラクタの状態劣化を画面表示させると共に所定の状態記憶手段に記憶されている前記状態スコアを改善させ、ブラックリストに含まれる旨の返信を受信すると、前記マスコットキャラクタの状態改善を画面表示させると共に前記状態記憶手段に記憶されている状態スコアを悪化させる、変化制御処理を実行させることを特徴とするクライアントプログラム。
【請求項３７】
請求項２８、３１、３２又は３５のいずれか一項に記載のサーバシステムの制御プログラムにおいて、
その制御プログラムは前記演算制御部を制御することにより、
各対象システムに対応する所定の管理者ユーザの用いるクライアントシステムからの前記通信ネットワーク経由でのアクセスを認証のうえ、対象システムについて、指定されるユーザの年齢に応じ前記パタン記憶手段からコピーし又は種別ごとに個別に指定される閲覧可否に応じて、どの前記種別をブロックするかのフィルタリング設定を、所定の個別設定記憶手段に記憶させる、設定受付処理を実行させ、
その設定受付処理において、前記個別設定記憶手段に記憶されている前記フィルタリング設定をもとに、種別ごとに選択されている閲覧可否を年齢別に集計し、可又は不可のより多い選択肢を設定画面の初期値として表示させる
ことを特徴とするサーバシステムの制御プログラム。
【請求項３８】
各対象システムに対応する所定の管理者ユーザの用いるクライアントシステムからの前記通信ネットワーク経由でのアクセスを認証のうえ、対象システムについて、種別ごと又は合計について、ページリクエストの許容回数の設定を受け付けて前記個別設定記憶手段に記憶させる、設定受付処理を前記演算制御部に実行させ、
前記応答処理においては、前記パタン記憶部又は前記個別設定記憶手段に基づいて閲覧を不可とすべきＵＲＬであっても、前記許容回数までは閲覧を可とさせる
ことを特徴とする請求項２８、３１、３２、３５又は３７のいずれか一項に記載のサーバシステムの制御プログラム。
【請求項３９】
請求項１から１３のいずれか一項に記載のフィルタリング方法であって、
前記サーバシステムにおいては、
ＵＲＬのホワイトリストを所定のホワイトリスト記憶手段に予め記憶しておき、
前記応答処理により、対象システムから受信したＵＲＬが前記ホワイトリスト記憶手段に記憶されている場合にホワイトリストに含まれる旨を、閲覧を可とすると共に返信し、
前記クライアントシステム又は前記対象システムにおいては、
状態スコアの初期値及び更新された値を所定の状態記憶手段に記憶し、
マスコットキャラクタの画面表示に用いる、肯定的な第一のパタン画像と、前記第一のパタン画像とは意匠の異なる否定的な第二のパタン画像と、を所定のキャラクタ記憶手段に予め記憶しておき、
閲覧を可とするとともにホワイトリストに含まれる旨の返信を前記サーバシステムから受信したときは、前記キャラクタ記憶手段に記憶されている前記肯定的な第一のパタン画像を表示するとともに、前記状態記憶手段に記憶されている前記状態スコアを改善させ、閲覧を不可とする返信を前記サーバシステムから受信したときは、前記キャラクタ記憶手段に記憶されている前記否定的な第二のパタン画像を表示するとともに、前記状態記憶手段に記憶されている状態スコアを悪化させる、変化制御処理と、
前記状態記憶手段に記憶されている前記状態スコアが、予め設定されている所定値まで悪化すると、全部又は一部のウェブ閲覧を禁止する閲覧制限処理と、
を前記制御部が実行することを特徴とするフィルタリング方法。
【請求項４０】
請求項１４、２１、２２又は２４のいずれか一項に記載のクライアントシステムと、請求項１５、１８から２０、２３、２５又は２６のいずれか一項に記載のサーバシステムと、を通信ネットワーク経由で組み合わせたフィルタリングシステムにおいて、
前記サーバシステムでは、
ＵＲＬのホワイトリストを記憶するホワイトリスト記憶手段を前記演算制御部が実現し、
前記応答手段は、対象システムから受信したＵＲＬが前記ホワイトリスト記憶手段に記憶されている場合にホワイトリストに含まれる旨を、閲覧を可とすると共に返信するように構成され、
前記クライアントシステムシステム又は前記対象システムでは、その演算制御部が、
状態スコアの初期値及び更新された値を記憶する状態記憶手段と、
マスコットキャラクタの画面表示に用いる、肯定的な第一のパタン画像と、前記第一のパタン画像とは意匠の異なる否定的な第二のパタン画像と、を予め記憶するキャラクタ記憶手段と、
閲覧を可とするとともにホワイトリストに含まれる旨の返信を前記サーバシステムから受信したときは、前記キャラクタ記憶手段に記憶されている前記肯定的な第一のパタン画像を表示するとともに、前記状態記憶手段に記憶されている前記状態スコアを改善させ、閲覧を不可とする返信を前記サーバシステムから受信したときは、前記キャラクタ記憶手段に記憶されている前記否定的な第二のパタン画像を表示するとともに、前記状態記憶手段に記憶されている状態スコアを悪化させる、変化制御手段と、
前記状態記憶手段に記憶されている前記状態スコアが、予め設定されている所定値まで悪化すると、全ての、又は所定の前記種別の、又は前記推奨記憶部に記憶された推奨リスト以外のＵＲＬの、ウェブ閲覧を禁止する閲覧制限手段と、
を実現することを特徴とするフィルタリングシステム。
【請求項４１】
請求項２７、３３、３４又は３６記載のクライアントプログラムにおいて、
そのプログラムは前記演算制御部を制御することにより、
状態スコアの初期値及び更新された値を所定の状態記憶手段に記憶させ、
マスコットキャラクタの画面表示に用いる、肯定的な第一のパタン画像と、前記第一のパタン画像とは意匠の異なる否定的な第二のパタン画像と、を所定のキャラクタ記憶手段に予め記憶し、
フィルタリングの照会に対し前記サーバサーシステムから閲覧を可とするとともに、照会に係るＵＲＬが所定のホワイトリストに含まれる旨の返信を受信したときは、前記キャラクタ記憶手段に記憶されている前記肯定的な第一のパタン画像を表示するとともに、前記状態記憶手段に記憶されている前記状態スコアを改善させ、閲覧を不可とする返信を前記サーバシステムから受信したときは、前記キャラクタ記憶手段に記憶されている前記否定的な第二のパタン画像を表示するとともに、前記状態記憶手段に記憶されている状態スコアを悪化させる、変化制御処理と、
前記状態記憶手段に記憶されている前記状態スコアが、予め設定されている所定値まで悪化すると、全部又は一部のウェブ閲覧を禁止する閲覧制限処理と、
を実行させることを特徴とするクライアントプログラム。
【発明の詳細な説明】
【技術分野】
【０００１】
本発明は、フィルタリング技術の改良に関する。
【背景技術】
【０００２】
近年、パソコン（パーソナルコンピュータ）、インターネット、携帯電話やＰＤＡなどのモバイル端末などを中心とした情報処理及び通信技術の発達に伴い、仕事でもプライベートでも、インターネットのウェブページによる情報伝達の比率が飛躍的に増大しつつある。ウェブページは、ＵＲＬと呼ばれるアドレスで識別され、ウェブページのまとまりをウェブサイトと呼ぶ。ウェブサイトの中には、暴力的な内容、成人向けなど、子供や職場からの閲覧になじまないものもあり、そのような閲覧を阻止する技術がフィルタリングとして知られている（例えば、特許文献１参照）。
【０００３】
フィルタリングにはいろいろなタイプがあるが、例えば、パソコン等で表示しようとしたＵＲＬについて、サーバにあるＵＲＬのブラックリストをパソコンの常駐ソフトやＬＡＮ上のゲートウェイ装置により予めダウンロードしたりその都度照会し、又はプロバイダ側の処理として照合することにより、アダルトや暴力などのウェブサイト閲覧を規制する。
【０００４】
従来のフィルタリングは、家庭、企業、学校などのＬＡＮを単位に、アダルトや暴力など、事前に設定したカテゴリごとに閲覧の可否を一律に規制するものであった。
【特許文献１】特開２００４−１２０５７４
【発明の開示】
【発明が解決しようとする課題】
【０００５】
しかし、従来のように、年齢など利用者の属性を問わない一律のフィルタリングは、利用者の年齢などによっては過剰になったり不十分になる問題があった。また、サービス申込者側で、利用者の年齢などを考慮し個別具体的に規制カテゴリ等を設定することは煩雑であり、年月の経過で年齢とのずれが生じる問題もあった。また、フィルタリングをパソコンの単なる常駐ソフトで行う場合は、ウェブ閲覧という好機をマーケティングやコンテンツ提供などに有効活用できず、そのような有効活用が潜在的に待望されていた。
【０００６】
本発明は、上記のような従来技術の課題を解決するもので、その目的は、ウェブブラウザのツールバーなどクライアント側からフィルタリング用サーバへ照会を行うことにより、ツールバー領域等においてウェブ閲覧状況に応じた情報コンテンツの提供や利用、設定変更操作なども可能とし、ウェブ閲覧という好機をマーケティングやコンテンツ提供などに有効活用することである。また、本発明の他の目的は、個々のクライアントシステムやツールバーごとに設定してあるユーザの年齢などの属性に応じたフィルタリングパターンの適用により、個々のユーザに最適な過不足のないフィルタリングを実現することである。
【課題を解決するための手段】
【０００７】
上記の目的を達成するため、請求項１のフィルタリング方法は、ユーザによる操作を受け付ける入力部と、通信ネットワークと通信するための通信部と、画面表示部と、前記各部の制御及びウェブブラウザプログラムの実行を含む情報処理を行うコンピュータの制御部と、を備えたコンピュータの前記制御部を、前記ウェブブラウザとともに活動する所定のツールバープログラムで制御することにより、少なくともユーザの年齢層を含む属性情報を、前記プログラムのダウンロード時又はインストール時もしくはインストール後の設定入力で入力受付して所定の属性記憶手段に記憶して保持し、前記ウェブブラウザから閲覧操作が行われたＵＲＬを得てそのＵＲＬについて前記属性記憶手段に記憶されている前記属性情報を伴う照会を所定のフィルタリング用サーバシステムへ送信し、その返信結果に応じ前記ウェブブラウザでの表示の可不可を制御する照会制御処理と、前記ウェブブラウザの表示ウィンドウの一部に割り当てられるツールバー領域により操作の受付と、及び所定のサーバシステムから受信する情報コンテンツの表示を行うツールバー制御処理と、を実現することを特徴とする。
【０００８】
請求項１４の発明は、ユーザによる操作を受け付ける入力部と、通信ネットワークと通信するための通信部と、画面表示部と、ウェブブラウザと、コンピュータの演算制御部と、を備えたクライアントシステムにおいて、前記通信部を介した外部からのアクセスにおいて権限あるユーザを認証のうえ又は前記入力部から、ユーザの年齢情報を含む属性情報について設定登録を受け付けて所定の属性記憶手段に記憶させる、属性情報受付手段と、前記ウェブブラウザから閲覧操作が行われたＵＲＬを得てそのＵＲＬについて、前記属性記憶手段に記憶されている前記属性情報を伴う照会を所定のフィルタリング用サーバシステムへ送信し、その返信結果に応じ前記ウェブブラウザでの表示の可不可を制御する照会制御処理と、前記ウェブブラウザの表示ウィンドウとともに画面表示される領域により、操作の受付と、及び前記通信ネットワークから受信する情報コンテンツの表示を行う手段と、を前記演算制御部により実現することを特徴とする。
【０００９】
請求項２７の発明は、ユーザによる操作を受け付ける入力部と、通信ネットワークと通信するための通信部と、画面表示部と、ウェブブラウザと、コンピュータの演算制御部と、を備えたクライアントシステムを制御するクライアントプログラムにおいて、そのプログラムは前記演算制御部を制御することにより、前記通信部を介した外部からのアクセスにおいて権限あるユーザを認証のうえ又は前記入力部から、ユーザの年齢情報を含む属性情報について設定登録を受け付けて所定の属性記憶手段に記憶させる、属性情報受付処理と、前記ウェブブラウザから閲覧操作が行われたＵＲＬを得てそのＵＲＬについて、前記属性記憶手段に記憶されている前記属性情報を伴う照会を所定のフィルタリング用サーバシステムへ送信し、その返信結果に応じ前記ウェブブラウザでの表示の可不可を制御する照会制御処理と、前記ウェブブラウザの表示ウィンドウの一部に割り当てられる領域により、操作の受付と、及び所定のサーバシステムから受信する情報コンテンツの表示を行う処理と、を実行させることを特徴とする。
【００１０】
請求項２の発明は、通信ネットワークと通信するための通信部と、コンピュータの演算制御部と、内容の種別ごとにＵＲＬのブラックリストを予め記憶したブラックリスト記憶手段と、ユーザの年齢ごとに、前記ブラックリストのどの前記種別をブロックするかを記憶したパタン記憶手段と、を備えたサーバシステムを用いたフィルタリング方法において、サービス提供対象のクライアントシステムである対象システムから前記通信ネットワーク経由で、閲覧しようとするＵＲＬとユーザの年齢を含む属性情報を伴う照会を受信すると、その年齢に対応してブロックする前記種別を前記パタン記憶部から取得し、その種別について前記ブラックリスト記憶手段に記憶されている前記ブラックリストに前記ＵＲＬが含まれるか判定し、含まれると閲覧を不可、含まれないと閲覧を可、とする返信を行う、応答処理と、を前記演算制御部が実現することを特徴とする。
【００１１】
請求項１５の発明は、通信ネットワークと通信するための通信部と、コンピュータの演算制御部と、を備えたフィルタリング用のサーバシステムにおいて、内容の種別ごとにＵＲＬのブラックリストを予め記憶したブラックリスト記憶手段と、ユーザの年齢ごとに、前記ブラックリストのどの前記種別をブロックするかを記憶したパタン記憶手段と、サービス提供対象のクライアントシステムである対象システムから前記通信ネットワーク経由で、閲覧しようとするＵＲＬとユーザの年齢を含む属性情報を伴う照会を受信すると、その年齢に対応してブロックする前記種別を前記パタン記憶部から取得し、その種別について前記ブラックリスト記憶手段に記憶されている前記ブラックリストに前記ＵＲＬが含まれるか判定し、含まれると閲覧を不可、含まれないと閲覧を可、とする返信を行う、応答手段と、を前記演算制御部が実現することを特徴とする。
【００１２】
請求項２８の発明は、通信ネットワークと通信するための通信部と、コンピュータの演算制御部と、内容の種別ごとにＵＲＬのブラックリストを予め記憶したブラックリスト記憶手段と、ユーザの年齢ごとに、前記ブラックリストのどの前記種別をブロックするかを記憶したパタン記憶手段と、を備えたサーバシステムを制御する制御プログラムにおいて、そのプログラムは前記演算制御部を制御することにより、サービス提供対象のクライアントシステムである対象システムから前記通信ネットワーク経由で、閲覧しようとするＵＲＬとユーザの年齢を含む属性情報を伴う照会を受信すると、その年齢に対応してブロックする前記種別を前記パタン記憶部から取得し、その種別について前記ブラックリスト記憶手段に記憶されている前記ブラックリストに前記ＵＲＬが含まれるか判定し、含まれると閲覧を不可、含まれないと閲覧を可、とする返信を行う、応答処理を実行させることを特徴とする。
【００１３】
このように、ウェブブラウザのツールバーなどのプログラムから、設定してあるユーザの年齢など属性とともにＵＲＬをサーバへ照会し、年齢などの属性に応じて、ブロックする種別など異なるパターンで表示の可不可を返信することにより、個々のユーザに最適な過不足のないフィルタリングを、クライアントシステムに負担をかけずに実現できる。また、ツールバー領域などでウェブ閲覧状況に応じた情報コンテンツの提供や利用、設定変更操作なども可能となり、ウェブ閲覧という好機をマーケティングやコンテンツ提供などに有効活用することが可能となる。
【００１４】
請求項３の発明は、請求項１のツールバープログラムをインストールした一又は二以上のコンピュータを管理の対象側端末とし、操作及び情報の入力部と、ネットワーク通信のための通信部と、画面表示部と、制御部とを備え前記ツールバープログラムと通信する設定側プログラムをインストールしたコンピュータである管理側端末と、ＬＡＮで接続して用いるフィルタリング方法において、前記管理側端末の前記設定側プログラム及び前記制御部により、前記各対象側端末の前記ツールバープログラムに対して、対象側端末ごと、対象側端末にログインするユーザごと、又は日時帯ごと、のいずれか又は二以上を組み合わせた対象条件ごとに、フィルタリング又は他の動作について条件の設定を行う設定部と、前記対象条件ごとに、アクセス履歴の一覧表示又は集計グラフ表示、情報の配信、の少なくともいずれかを行う情報部と、を実現することを特徴とする。
【００１５】
請求項１６の発明は、請求項１４記載のクライアントシステムを管理の対象側端末とし、操作及び情報の入力部と、ネットワーク通信のための通信部と、画面表示部と、制御部とを備えたコンピュータを管理側端末として、前記対象側端末とＬＡＮ接続したフィルタリングシステムにおいて、前記管理側端末の前記制御部により、対象側端末ごと、対象側端末にログインするユーザごと、又は日時帯ごと、のいずれか又は二以上を組み合わせた対象条件ごとに、フィルタリング又は他の動作について条件の設定を行う設定手段と、前記対象条件ごとに、対象側端末からアクセスしようとしたアクセス履歴の転送を受けてその一覧表示、指定の条件に応じた集計グラフの表示、又は通信ネットワークから受信して表示する情報コンテンツの設定、の少なくともいずれかを行う情報手段と、を実現することを特徴とする。
【００１６】
請求項２９の発明は、ユーザによる操作を受け付ける入力部と、通信ネットワークと通信するための通信部と、画面表示部と、演算制御部と、を備えたコンピュータを制御する制御プログラムにおいて、その制御プログラムは前記演算制御部を制御することにより、ウェブブラウザで閲覧操作が行われたＵＲＬを所定のサーバシステムに照会してフィルタリングを行うクライアントシステムを管理の対象側端末とし、各対象側端末について、対象側端末ごと、対象側端末にログインするユーザごと、又は日時帯ごと、のいずれか一つの又は二以上を組み合わせた対象条件と、これら対象条件ごとに、フィルタリングの対象とする種別又は他のフィルタリング条件の設定と、を前記入力部から受け付けるとともにその対象側端末又は前記サーバシステムへ伝達する設定処理と、前記対象条件ごとに、対象側端末からのアクセス履歴を対象側端末又は前記サーバシステムから受信して一覧表示し、又はブロックされた照会の前記各種別の割合を集計し集計グラフとして表示する、情報表示処理と、を実現することを特徴とする。
【００１７】
このように、家庭、学校、職場などでツールバーによるフィルタリングを適用する端末、ユーザ、時間帯ごとに、異なるフィルタリング条件等の設定やアクセス履歴の閲覧などを管理側端末から行うことにより、端末ごとの用途や設置場所などに適した個別具体的できめ細かい運用管理を、楽に効率よく集中して行うことが可能となる。
【００１８】
請求項４の発明は、請求項３記載のフィルタリング方法と、サーバシステムとを、通信ネットワーク経由で組み合わせたフィルタリング方法において、前記管理側端末で前記対象条件の指定とともに入力される要求操作に応じて、前記サーバシステムが、その対象条件に係る前記対象側端末において前記照会により表示が許可され又は禁止されたＵＲＬのウェブページについて、履歴を所定の記憶手段に蓄積しておくと共にその履歴に基づき、各ウェブページに含まれる文字列又は画像の少なくとも一方の一部を含むサマリーを前記管理側端末へ送信して表示させることを特徴とする。
【００１９】
請求項５の発明は、請求項３又は４記載のフィルタリング方法において、前記情報部は、対象側端末が表示を要求し、前記照会により表示が許可され又は禁止された各ＵＲＬの又はその配下のウェブページにアクセスし、そのウェブページ内の文字列間の照合により繰り返し登場する頻出文字列を特定し、その文字列又はそのＵＲＬのウェブページ内の画像の一部、の少なくとも一方を含むサマリーを表示することを特徴とする。
【００２０】
請求項１７の発明は、請求項１６記載のフィルタリングシステムにおいて、前記管理側端末の前記制御部が、前記対象側端末から、閲覧操作を行ったＵＲＬの履歴を受信し記憶する履歴記憶手段と、前記履歴記憶手段に記憶されている履歴中の各ウェブページ又はそのリンク先、配下もしくは上位のディレクトリ内のウェブページにアクセスし、各ウェブページ内の文字列又は画像の一部をサマリーとして表示させるサマリー表示手段と、を実現することを特徴とする。
【００２１】
請求項３０の発明は、請求項２９記載の制御プログラムにおいて、前記演算制御部を制御することにより、前記対象側端末から、閲覧操作を行ったＵＲＬの履歴を受信し所定の履歴記憶手段に記憶させ、前記履歴記憶手段に記憶されている履歴中の各ウェブページ又はそのリンク先、配下もしくは上位のディレクトリ内のウェブページにアクセスし、各ウェブページ内の文字列又は画像の一部をサマリーとして表示させることを特徴とする。
【００２２】
このように、対象側端末で表示が許可又は禁止されたＵＲＬのウェブサイトについて、管理側単端末で単なるＵＲＬの表示だけでなく、頻出単語や画像などのサマリー表示を行うことにより、内容を一見して把握容易になる。
【００２３】
請求項６の発明は、請求項１記載のフィルタリング方法を用いるコンピュータであるクライアントシステムと、請求項２記載のサーバシステムを用いたフィルタリング方法と、を通信ネットワーク経由で組み合わせたフィルタリング方法において、前記クライアントシステム側は、前記ツールバープログラムにおいて保持する識別情報を伴う前記照会を前記サーバシステム側へ送信し、前記サーバシステム側は、前記識別情報を伴う前記照会に基づいて、各クライアントシステムからアクセスしようとしたウェブサイトのアクセスログを記録するとともに、前記アクセスログを集計することによる所定の分析処理条件に基づいて、そのクライアントシステムの前記ツールバー領域へ提供する前記情報コンテンツへ反映させる、ことを特徴とする。
【００２４】
請求項１８の発明は、請求項１５記載のサーバシステムにおいて、前記対象システムへ情報コンテンツを提供するコンテンツ提供手段と、前記対象システムからの前記照会に基づき、アクセスしようとしたＵＲＬのアクセスログを記憶するアクセスログ記憶手段と、ユーザの年齢又はアクセスログで成立すべき条件と、情報コンテンツの範囲ごとの提供可否と、を対応付けて予め記憶した条件記憶手段と、前記アクセスログ記憶手段に記憶されているアクセスログ又はユーザの年齢について、前記条件記憶手段に記憶されている前記条件の成否を判断することにより、対応する情報コンテンツの範囲ごとの提供可否を判断して前記コンテンツ提供手段に反映させる判断反映手段と、を前記演算制御部が実現することを特徴とする。
【００２５】
請求項３１の発明は、請求項２８記載の制御プログラムにおいて、その制御プログラムは前記演算制御部を制御することにより、前記対象システムへ情報コンテンツを提供するコンテンツ提供処理と、前記対象システムからの前記照会に基づき、アクセスしようとしたＵＲＬのアクセスログを所定のアクセスログ記憶手段に記憶させるアクセスログ記憶処理と、を実行させ、ユーザの年齢又はアクセスログで成立すべき条件と、情報コンテンツの範囲ごとの提供可否と、を対応付けて所定の条件記憶手段に予め記憶させておき、前記アクセスログ記憶手段に記憶されているアクセスログ又はユーザの年齢について、前記条件記憶手段に記憶されている前記条件の成否を判断することにより、対応する情報コンテンツの範囲ごとの提供可否を判断して前記コンテンツ提供処理に反映させる判断反映処理を実行させることを特徴とする。
【００２６】
このように、ツールバーからフィルタリング用の照会で送信される識別情報によりユーザを正確に識別し、年齢やそのアクセスログの分析結果をツールバーへ提供する情報コンテンツに反映させることにより、ウェブ閲覧という好機を確実容易に活用し、マーケティング、プロモーションなどさまざまな用途に最大限活用可能となる。
【００２７】
請求項７の発明は、請求項６記載のフィルタリング方法において、前記クライアントシステムの前記ツールバープログラムにより、前記アクセスログの収集をどの程度認めるかの選択を受け付け、当該ツールバープログラム又は前記サーバシステムは、前記アクセスログの収集をどの程度認めるかに応じて、異なる範囲の前記情報コンテンツを提供することを特徴とする。
【００２８】
請求項１９の発明は、請求項１５又は１８記載のサーバシステムにおいて、前記対象システムについて前記アクセスログの収集をどの程度まで認めるかについて、ドメイン名まで、ホスト名もしくはサブドメイン名まで、又は配下ディレクトリの何階層目まで認めるかの選択を受け付けて選択内容を記憶するログ程度選択受付手段を前記演算制御部が実現し、前記判断反映手段は、前記ログ程度選択受付手段での選択内容に応じて、情報コンテンツについて異なる提供範囲を前記コンテンツ提供手段に反映させることを特徴とする。
【００２９】
請求項３２の発明は、請求項２８又は３１記載のサーバシステムの制御プログラムにおいて、前記対象システムについて前記アクセスログの収集をどの程度まで認めるかについて、ドメイン名まで、ホスト名もしくはサブドメイン名まで、又は配下ディレクトリの何階層目まで認めるかの選択を受け付けて選択内容を記憶するログ程度選択受付処理を前記演算制御部に実行させ、前記判断反映処理において、前記ログ程度選択受付処理での選択内容に応じて、情報コンテンツについて異なる提供範囲を前記コンテンツ提供処理に反映させることを特徴とする。
【００３０】
このように、アクセスログ提供の程度選択を受け付けることによりユーザの自由意思とプライバシーを尊重するとともに、その程度に応じて提供コンテンツを差別化することにより、公平な条件で各ユーザに最大限のアクセスログ提供を促すことができる。
【００３１】
請求項８の発明は、請求項１記載のフィルタリング方法を用いるために前記ツールバープログラムをインストールしたコンピュータであるクライアントシステムと、フィルタリング用サーバシステム又はウェブアクセス先となるウェブサーバシステムの少なくとも一方のサーバシステムと、をインターネットで組み合わせるフィルタリング方法において、前記サーバシステムは、前記クライアントシステムが所定の前記属性情報を持ち、所定のＵＲＬへウェブアクセスし、及び、そのウェブアクセスにより所定の課題を達成したこと、のうち一つ又は二以上の組合せを検出した場合に、所定の表示許諾情報をそのクライアントシステムへ返信し、そのクライアントシステムでは前記ツールバープログラムが前記制御部により、前記所定の表示許諾情報を受信した場合に、前記ツールバー領域における表示又は選択可能な機能について所定の変化を生じさせる変化制御処理を実現することを特徴とする。
【００３２】
請求項２０の発明は、前記対象システムにインストールされ、ユーザの年齢を含む属性情報と、グラフィックキャラクタもしくは機能部品を画面表示し又はその外観もしくは機能を変化させる変化制御手段と、を備えたフィルタリング用クライアントプログラムと通信ネットワーク経由で通信する請求項１５、１８又は１９のいずれか一項に記載のサーバシステムにおいて、前記対象システムが、どのような属性情報を持ち、かつ、どのＵＲＬへアクセスしたときに又はどのＵＲＬへアクセスしてどのような課題を達成したときに、前記グラフィックキャラクタを表示させ又はその外観をどのように変化させるか、の変化条件を記憶する条件記憶手段と、前記ＵＲＬへのアクセスと、前記課題の達成と、それらアクセスないし達成にかかる対象システムの前記属性情報と、の情報をその対象システム又はＵＲＬのサーバシステムから受信し、受信した情報に基づいて前記条件記憶手段に記憶された前記変化条件の成立を判断し、前記グラフィックキャラクタもしくは機能部品を表示させ又はその外観もしくは機能をどのように変化させるかを制御する制御情報を、前記クライアントプログラムに送信する判断反映手段と、を前記演算制御部を制御することにより実現することを特徴とする。
【００３３】
請求項２１の発明は、請求項１４記載のクライアントシステムにおいて、所定のサーバシステムから送信される制御情報に基づいて、グラフィックキャラクタもしくは機能部品を画面表示し又はその外観もしくは機能を変化させる変化制御手段を、前記演算制御部が実現することを特徴とする。
【００３４】
請求項３３の発明は、請求項２７記載のクライアントプログラムにおいて、所定のサーバシステムから送信される制御情報に基づいて、グラフィックキャラクタもしくは機能部品を画面表示し又はその外観もしくは機能を変化させる変化制御処理を、前記演算制御部に実行させることを特徴とする。
【００３５】
請求項９の発明は、請求項１記載のフィルタリング方法において、前記コンピュータの前記ツールバープログラムが前記制御部により、所定の前記属性情報を持ち、所定のＵＲＬへアクセスし、及び、所定の課題を達成したこと、のうち一つ又は二以上の組合せを検出した場合に、前記ツールバー領域における表示又は選択可能な機能について所定の変化を生じさせる変化制御処理を実現することを特徴とする。
【００３６】
請求項２２の発明は、請求項１４記載のクライアントシステムにおいて、グラフィックキャラクタもしくは機能部品を画面表示し又はその外観もしくは機能を変化させる変化制御手段と、どのような前記属性情報を持ち、かつ、どのＵＲＬへアクセスしたときに又はどのＵＲＬへアクセスしてどのような課題を達成したときに、前記グラフィックキャラクタもしくは機能部品を表示させ又はその外観もしくは機能をどのように変化させるか、の変化条件を記憶する条件記憶手段と、前記ウェブブラウザから動作内容の情報を得て前記条件記憶手段に記憶された前記変化条件の成立を検出して前記変化制御手段に反映させる反映手段と、を前記演算制御部が実現することを特徴とする。
【００３７】
請求項３４の発明は、請求項２７記載のクライアントプログラムにおいて、グラフィックキャラクタもしくは機能部品を画面表示し又はその外観もしくは機能を変化させる変化制御処理と、どのような前記属性情報を持ち、かつ、どのＵＲＬへアクセスしたときに又はどのＵＲＬへアクセスしてどのような課題を達成したときに、前記グラフィックキャラクタもしくは機能部品を表示させ又はその外観もしくは機能をどのように変化させるか、の変化条件を所定の条件記憶手段に記憶させる条件記憶処理と、前記ウェブブラウザから動作内容の情報を得て前記条件記憶手段に記憶された前記変化条件の成立を検出して前記変化制御処理に反映させる反映処理と、を前記演算制御部に実行させることを特徴とする。
【００３８】
このように、年齢などの属性、訪問したウェブサイト、達成した課題（ゲームやアンケートなど）などの組合せに応じ、ツールバーで特定のキャラクタを表示させたり、特定の機能を利用可能にするなどの変化を生じさせることにより、利用内容に合った最適な使い勝手を実現し、飽きを防ぐとともに、ツールバーの積極的な利用を効果的に動機付けすることが可能となる。
【００３９】
請求項１０の発明は、請求項１から９のいずれか一項に記載のフィルタリング方法において、各対象システムに対応する所定の管理者ユーザの用いるクライアントシステムからの前記通信ネットワーク経由でのアクセスを認証のうえ、対象システムについて、制限回数と、通知先電子メールアドレスと、の設定を受け付けて所定の個別設定記憶手段に記憶させる、設定受付処理と、対象システムについて、前記応答手段が不可とした返信の回数をカウントしてゆき、この回数が前記個別設定記憶手段に記憶されている前記制限回数を超過したかを監視し超過したときに、対応する前記通知先電子メールアドレスに、ウェブ又は電子メールの一以上の応答用アドレスを記載した通知電子メールを送信する、超過通知処理と、前記通知電子メールに記載した前記応答用アドレスへの応答アクセスの有無、又は複数の応答用アドレスのどれに応答アクセスがあったか、に基づいて、全部又は一部のウェブ閲覧を禁止し、又はフィルタリング対象の種別又は他のフィルタリング設定を変更する、設定変更処理と、をサーバシステムの制御部が実行することを特徴とする。
【００４０】
請求項２３の発明は、請求項１５、１８から２０のいずれか一項に記載のサーバシステムにおいて、対象システムごとの個別設定を記憶する個別設定記憶手段と、各対象システムに対応する所定の管理者ユーザの用いるクライアントシステムからの前記通信ネットワーク経由でのアクセスを認証のうえ、対象システムについて、制限回数と、通知先電子メールアドレスと、の設定を受け付けて前記個別設定記憶手段に記憶させる、設定受付手段と、対象システムについて、前記応答手段が不可とした返信の回数をカウントしてゆき、この回数が前記個別設定記憶手段に記憶されている前記制限回数を超過したことを検出して、対応する前記通知先電子メールアドレスに、ウェブ又は電子メールの一以上の応答用アドレスを記載した通知電子メールを送信する、超過通知手段と、前記通知電子メールに記載した前記応答用アドレスへの応答アクセスの有無、又は複数の応答用アドレスのどれに応答アクセスがあったか、に基づいて、全部又は一部のウェブ閲覧を禁止し、又はフィルタリング対象の種別又は他のフィルタリング設定を変更する、設定変更手段と、を前記制御部が実現することを特徴とする。
【００４１】
請求項３５の発明は、請求項２８、３１又は３２のいずれか一項に記載のサーバシステムの制御プログラムにおいて、その制御プログラムは前記演算制御部を制御することにより、各対象システムに対応する所定の管理者ユーザの用いるクライアントシステムからの前記通信ネットワーク経由でのアクセスを認証のうえ、対象システムについて、制限回数と、通知先電子メールアドレスと、の設定を受け付けて所定の個別設定記憶手段に記憶させる、設定受付処理と、対象システムについて、前記応答手段が不可とした返信の回数をカウントしてゆき、この回数が前記個別設定記憶手段に記憶されている前記制限回数を超過したかを監視し超過したときに、対応する前記通知先電子メールアドレスに、ウェブ又は電子メールの一以上の応答用アドレスを記載した通知電子メールを送信する、超過通知処理と、前記通知電子メールに記載した前記応答用アドレスへの応答アクセスの有無、又は複数の応答用アドレスのどれに応答アクセスがあったか、に基づいて、全部又は一部のウェブ閲覧を禁止し、又はフィルタリング対象の種別又は他のフィルタリング設定を変更する、設定変更処理と、を実行させることを特徴とする。
【００４２】
このように、フィルタリングでブロックされた回数が予め設定した回数を超えると、電子メールで親などに通知し、応答操作に応じたウェブ閲覧禁止やフィルタリング設定変更により、保護者など管理者のポリシーといった個別具体的な事情に応じたアクセス管理が可能となる。
【００４３】
請求項１１の発明は、請求項１から１０のいずれか一項に記載のフィルタリング方法において、クライアントシステムの演算制御部が、ＵＲＬの照会に対しフィルタリング用サーバシステムから、ホワイトリストに含まれる旨の返信を受信すると、マスコットキャラクタの状態劣化を画面表示すると共に所定の状態記憶手段に記憶されている前記状態スコアを改善させ、ブラックリストに含まれる旨の返信を受信すると、前記マスコットキャラクタの状態改善を画面表示すると共に前記状態記憶手段に記憶されている状態スコアを悪化させる、変化制御処理を実行することを特徴とする。
【００４４】
請求項２４の発明は、請求項１４、２１又は２２のいずれか一項に記載のクライアントシステムにおいて、その演算制御部が、状態スコアを記憶する状態記憶手段と、ＵＲＬの照会に対しフィルタリング用サーバシステムから、ホワイトリストに含まれる旨の返信を受信すると、マスコットキャラクタの状態劣化を画面表示すると共に前記状態記憶手段に記憶されている前記状態スコアを改善させ、ブラックリストに含まれる旨の返信を受信すると、前記マスコットキャラクタの状態改善を画面表示すると共に前記状態記憶手段に記憶されている状態スコアを悪化させる、変化制御手段と、を実現することを特徴とする。
【００４５】
請求項３６の発明は、請求項２７、３３又は３４のいずれか一項に記載のクライアントプログラムにおいて、クライアントシステムの演算制御部に、ＵＲＬの照会に対しフィルタリング用サーバシステムから、ホワイトリストに含まれる旨の返信を受信すると、マスコットキャラクタの状態劣化を画面表示させると共に所定の状態記憶手段に記憶されている前記状態スコアを改善させ、ブラックリストに含まれる旨の返信を受信すると、前記マスコットキャラクタの状態改善を画面表示させると共に前記状態記憶手段に記憶されている状態スコアを悪化させる、変化制御処理を実行させることを特徴とする。
【００４６】
請求項３９の発明は、請求項１から１３のいずれか一項に記載のフィルタリング方法であって、前記サーバシステムにおいては、ＵＲＬのホワイトリストを所定のホワイトリスト記憶手段に予め記憶しておき、前記応答処理により、対象システムから受信したＵＲＬが前記ホワイトリスト記憶手段に記憶されている場合にホワイトリストに含まれる旨を、閲覧を可とすると共に返信し、前記対象システムにおいては、状態スコアの初期値及び更新された値を所定の状態記憶手段に記憶し、マスコットキャラクタの画面表示に用いる、肯定的な第一のパタン画像と、前記第一のパタン画像とは意匠の異なる否定的な第二のパタン画像と、を所定のキャラクタ記憶手段に予め記憶しておき、閲覧を可とするとともにホワイトリストに含まれる旨の返信を前記サーバシステムから受信したときは、前記キャラクタ記憶手段に記憶されている前記肯定的な第一のパタン画像を表示するとともに、前記状態記憶手段に記憶されている前記状態スコアを改善させ、閲覧を不可とする返信を前記サーバシステムから受信したときは、前記キャラクタ記憶手段に記憶されている前記否定的な第二のパタン画像を表示するとともに、前記状態記憶手段に記憶されている状態スコアを悪化させる、変化制御処理と、前記状態記憶手段に記憶されている前記状態スコアが、予め設定されている所定値まで悪化すると、全部又は一部のウェブ閲覧を禁止する閲覧制限処理と、を前記制御部が実行することを特徴とする。
【００４７】
請求項４０の発明は、請求項１４、２１、２２又は２４のいずれか一項に記載のクライアントシステムと、請求項１５、１８から２０、２３、２５又は２６のいずれか一項に記載のサーバシステムと、を通信ネットワーク経由で組み合わせたフィルタリングシステムにおいて、前記サーバシステムでは、ＵＲＬのホワイトリストを記憶するホワイトリスト記憶手段を前記演算制御部が実現し、前記応答手段は、対象システムから受信したＵＲＬが前記ホワイトリスト記憶手段に記憶されている場合にホワイトリストに含まれる旨を、閲覧を可とすると共に返信するように構成され、前記クライアントシステムシステムでは、その演算制御部が、状態スコアの初期値及び更新された値を記憶する状態記憶手段と、マスコットキャラクタの画面表示に用いる、肯定的な第一のパタン画像と、前記第一のパタン画像とは意匠の異なる否定的な第二のパタン画像と、を予め記憶するキャラクタ記憶手段と、閲覧を可とするとともにホワイトリストに含まれる旨の返信を前記サーバシステムから受信したときは、前記キャラクタ記憶手段に記憶されている前記肯定的な第一のパタン画像を表示するとともに、前記状態記憶手段に記憶されている前記状態スコアを改善させ、閲覧を不可とする返信を前記サーバシステムから受信したときは、前記キャラクタ記憶手段に記憶されている前記否定的な第二のパタン画像を表示するとともに、前記状態記憶手段に記憶されている状態スコアを悪化させる、変化制御手段と、前記状態記憶手段に記憶されている前記状態スコアが、予め設定されている所定値まで悪化すると、全ての、又は所定の前記種別の、又は前記推奨記憶部に記憶された推奨リスト以外のＵＲＬの、ウェブ閲覧を禁止する閲覧制限手段と、を実現することを特徴とする。
【００４８】
請求項４１の発明は、請求項２７、３３、３４又は３６記載のクライアントプログラムにおいて、そのプログラムは前記演算制御部を制御することにより、状態スコアの初期値及び更新された値を所定の状態記憶手段に記憶させ、マスコットキャラクタの画面表示に用いる、肯定的な第一のパタン画像と、前記第一のパタン画像とは意匠の異なる否定的な第二のパタン画像と、を所定のキャラクタ記憶手段に予め記憶し、フィルタリングの照会に対し前記サーバサーシステムから閲覧を可とするとともに、照会に係るＵＲＬが所定のホワイトリストに含まれる旨の返信を受信したときは、前記キャラクタ記憶手段に記憶されている前記肯定的な第一のパタン画像を表示するとともに、前記状態記憶手段に記憶されている前記状態スコアを改善させ、閲覧を不可とする返信を前記サーバシステムから受信したときは、前記キャラクタ記憶手段に記憶されている前記否定的な第二のパタン画像を表示するとともに、前記状態記憶手段に記憶されている状態スコアを悪化させる、変化制御処理と、前記状態記憶手段に記憶されている前記状態スコアが、予め設定されている所定値まで悪化すると、全部又は一部のウェブ閲覧を禁止する閲覧制限処理と、を実行させることを特徴とする。
【００４９】
このように、ブラックリストだけでなく健全な教育的見地等に基づく推奨リストを用意し、ブラックリストでの閲覧ブロックの際は嫌がるキャラクタなど否定的な第一のパタン画像などを表示して状態スコアを悪化させ、逆にホワイトリストを閲覧すれば喜ぶキャラクタなど肯定的な第二のパタン画像などを表示して状態スコアを改善させ、状態スコアが所定値まで悪化するとウェブ閲覧を制限することにより、子供などの対象者を有害サイトから遠ざけ、好ましいサイトの閲覧に、自然に誘導することが容易になる。また、パタン画像の使い分けによりキャラクタの外見変化が容易になる。
【００５０】
請求項１２の発明は、請求項２、６、７又は１０のいずれか一項に記載のフィルタリング方法において、各対象システムに対応する所定の管理者ユーザの用いるクライアントシステムからの前記通信ネットワーク経由でのアクセスを認証のうえ、対象システムについて、指定されるユーザの年齢に応じ前記パタン記憶手段からコピーし又は種別ごとに個別に指定される閲覧可否に応じて、どの前記種別をブロックするかのフィルタリング設定を、所定の個別設定記憶手段に記憶させる設定受付処理と、をサーバシステムの前記制御部が実行し、前記設定受付処理は、前記個別設定記憶手段に記憶されている前記フィルタリング設定をもとに、種別ごとに選択されている閲覧可否を年齢別に集計し、可又は不可のより多い選択肢を設定画面の初期値として表示することを特徴とする。
【００５１】
請求項２５の発明は、請求項１５、１８、１９又は２３のいずれか一項に記載のサーバシステムにおいて、各対象システムについてフィルタリング設定を記憶する個別設定記憶手段と、各対象システムに対応する所定の管理者ユーザの用いるクライアントシステムからの前記通信ネットワーク経由でのアクセスを認証のうえ、対象システムについて、指定されるユーザの年齢に応じ前記パタン記憶手段からコピーし又は種別ごとに個別に指定される閲覧可否に応じて、どの前記種別をブロックするかのフィルタリング設定を前記個別設定記憶手段に記憶させる設定受付手段と、を前記制御部が実現し、前記設定受付手段は、前記個別設定記憶手段に記憶されている前記フィルタリング設定をもとに、種別ごとに選択されている閲覧可否を年齢別に集計し、可又は不可のより多い選択肢を設定画面の初期値として表示することを特徴とする。
【００５２】
請求項３７の発明は、請求項２８、３１、３２又は３５のいずれか一項に記載のサーバシステムの制御プログラムにおいて、その制御プログラムは前記演算制御部を制御することにより、各対象システムに対応する所定の管理者ユーザの用いるクライアントシステムからの前記通信ネットワーク経由でのアクセスを認証のうえ、対象システムについて、指定されるユーザの年齢に応じ前記パタン記憶手段からコピーし又は種別ごとに個別に指定される閲覧可否に応じて、どの前記種別をブロックするかのフィルタリング設定を、所定の個別設定記憶手段に記憶させる、設定受付処理を実行させ、その設定受付処理において、前記個別設定記憶手段に記憶されている前記フィルタリング設定をもとに、種別ごとに選択されている閲覧可否を年齢別に集計し、可又は不可のより多い選択肢を設定画面の初期値として表示させることを特徴とする。
【００５３】
このように、個別ユーザにつき親などの管理者が種別ごとに閲覧可不可を設定する際、同年齢の設定内容の平均を初期値とすることにより、世間の親の平均的な考えを指針としながら、家庭独自のポリシーを適用可能となる。
【００５４】
請求項１３の発明は、請求項１から１２のいずれか一項に記載のフィルタリング方法において、前記サーバシステムでは、各対象システムに対応する所定の管理者ユーザの用いるクライアントシステムからの前記通信ネットワーク経由でのアクセスを認証のうえ、対象システムについて、種別ごと又は合計について、ページリクエストの許容回数の設定を受け付けて前記個別設定記憶手段に記憶させる、設定受付処理を前記制御部が実行し、前記応答処理は、前記パタン記憶部又は前記個別設定記憶手段に基づいて閲覧を不可とすべきＵＲＬであっても、前記許容回数までは閲覧を可とすることを特徴とする。
【００５５】
請求項２６の発明は、請求項１５、１８、１９、２３又は２５のいずれか一項に記載のサーバシステムにおいて、各対象システムに対応する所定の管理者ユーザの用いるクライアントシステムからの前記通信ネットワーク経由でのアクセスを認証のうえ、対象システムについて、種別ごと又は合計について、ページリクエストの許容回数の設定を受け付けて前記個別設定記憶手段に記憶させる、設定受付手段を前記制御部が実現し、前記応答手段は、前記パタン記憶部又は前記個別設定記憶手段に基づいて閲覧を不可とすべきＵＲＬであっても、前記許容回数までは閲覧を可とすることを特徴とする。
【００５６】
請求項３８の発明は、請求項２８、３１、３２、３５又は３７のいずれか一項に記載のサーバシステムの制御プログラムにおいて、各対象システムに対応する所定の管理者ユーザの用いるクライアントシステムからの前記通信ネットワーク経由でのアクセスを認証のうえ、対象システムについて、種別ごと又は合計について、ページリクエストの許容回数の設定を受け付けて前記個別設定記憶手段に記憶させる、設定受付処理を前記演算制御部に実行させ、前記応答処理においては、前記パタン記憶部又は前記個別設定記憶手段に基づいて閲覧を不可とすべきＵＲＬであっても、前記許容回数までは閲覧を可とさせることを特徴とする。
【００５７】
このように、本来閲覧不可の種別についても、親などの判断で許容回数を設定できることにより、教育目的など個別具体的な事情に応じた柔軟な活用が可能となる。
【発明の効果】
【００５８】
以上のように、ウェブブラウザのツールバーなどクライアント側からフィルタリング用サーバへ照会を行うことにより、ツールバー領域等においてウェブ閲覧状況に応じた情報コンテンツの提供や利用、設定変更操作なども可能となり、ウェブ閲覧という好機をマーケティングやコンテンツ提供などに有効活用することが可能となる。
【発明を実施するための最良の形態】
【００５９】
次に、本発明を実施するための最良の実施形態について、図１及び図２（いずれも構成図）を参照して説明する。なお、背景技術や課題で説明した事項と共通の前提事項は繰り返さない。
【００６０】
〔１．ツールバーによる属性に応じたフィルタリング〕
図１において、ある子供の使うパソコンを対象側端末Ｘ（「対象システム」とも呼ぶ）として、フィルタリングの適用を考える。この場合、対象側端末Ｘについては、フィルタリング装置としても、そのような装置におけるフィルタリング方法、制御プログラムとしても把握可能である。
【００６１】
この対象側端末Ｘは、ユーザによる操作や情報の入力を受け付ける入力部Ｅ（マウス、キーボードなど）と、情報の記憶部Ｍ（メモリ、ＨＤＤなど）と、通信ネットワーク（例えば図１の例ではＬＡＮ及びインターネットＩ）と通信するための通信部Ａ（ネットワークボードや無線ＬＡＮカードなど）と、画面表示部Ｄと、前記各部の制御及びウェブブラウザのためのプログラムの実行を含む情報処理を行う制御部（ＣＰＵなどの演算制御部）Ｃと、を備えたコンピュータである。
【００６２】
この制御部Ｃを、ウェブブラウザ（プログラム）Ｐ１とともに活動する所定のクライアントプログラム（例えば、ツールバープログラムＰ２）で制御することにより、照会制御部５（照会制御手段）と、ツールバー制御部１０（ツールバー制御手段）と、を実現する。
【００６３】
このうち、照会制御部５は、少なくともユーザの年齢情報を含む属性情報１５を保持し、ウェブブラウザＰ１から閲覧操作が行われたＵＲＬ（ＩＰアドレスでもよい）を得てそのＵＲＬについて、前記属性情報を伴う照会を所定のフィルタリング用サーバシステムであるルックアップサーバＦＳへ送信し、その返信結果に応じウェブブラウザＰ１での表示の可否を制御する（照会制御処理）。
【００６４】
また、図２は、各装置上においてコンピュータの演算制御部により実現される記憶手段や処理手段を中心とした視点で構成を示すものである。なお、図１に示した複数のサーバは、一部を除いて適宜、図２ではサーバシステムＳとしてまとめて示す。また、図２において、各処理手段や記憶手段は、演算制御部がプログラムに従ってメモリ等の記憶装置を用いながら実現するが、この点はコンピュータ全般に共通であるから、図示及び説明は適宜省略する。
【００６５】
図２に即して見ると、上に述べた属性情報１５については、より具体的には、属性情報受付手段４２が、ツールバープログラムＰ２のダウンロード時、インストール時やインストール後に、通信部Ａを介した外部（例えば管理側端末Ｙ）からのアクセスにおいて権限あるユーザ（親など）を認証のうえ又は入力部Ｅから、ユーザの年齢情報（年齢自体、属する年齢層や学制の区分、登録した生年月日に応じ自動更新する年齢など）を含む属性情報について設定登録（設定入力）を受け付けて属性記憶手段４０に記憶させる。
【００６６】
また、ツールバー制御部１０は、ウェブブラウザＰ１の表示ウィンドウＷの一部に割り当てられる領域（例えば、ツールバー領域Ｔ）により、操作の受付や、所定のサーバシステムからの受信する情報コンテンツ（例えば、ナビゲーション、検索、ＲＳＳリーダーによるランキングなど）の表示を行う（ツールバー制御処理）。このような情報コンテンツの表示については、別のコンテンツ処理部３０が行うようにしてもよい。
【００６７】
なお、ツールバープログラムＰ２のダウンロードによる導入やその後の更新は、導入／更新用サーバＤＳへアクセスして行えばよいが、インストール用ＣＤ−ＲＯＭ配布など他の手段で行ってもよい。
【００６８】
〔２．サーバによるフィルタリングパターンの切換〕
また、本実施形態は（図１）、上記のような対象側端末Ｘ（フィルタリング装置、フィルタリング方法）と、所定のフィルタリング用サーバシステムであるルックアップサーバＦＳと、を通信ネットワーク（ＬＡＮ及びインターネットＩ）経由で組み合わせたフィルタリング方法（フィルタリングシステム）としても把握可能である。
【００６９】
この場合、フィルタリング用サーバシステムであるルックアップサーバＦＳは、照会元利用者の属性情報に応じて予め定められた異なるフィルタリングパターン（例えば、アダルト、暴力、宗教といったコンテンツカテゴリすなわち種別ごとの表示閲覧可否のスイッチングなど）に基づいて表示の可否を、閲覧可否照会元の対象側端末Ｘへ返信する。
【００７０】
図２に即して見ると、通信ネットワークと通信するための通信部５２と、コンピュータの演算制御部５４と、を備えたフィルタリング用のサーバシステムＳにおいて、内容の種別（例えば、アダルト、暴力など）ごとにＵＲＬのブラックリストを予め記憶したブラックリスト記憶手段５６と、ユーザの年齢ごとに、ブラックリストのどの種別をブロックするかを記憶したパタン記憶手段５８と、応答手段６０と、を演算制御部５４が実現する。
【００７１】
そして、応答手段６０は、サービス提供対象のクライアントシステムである対象システムから前記通信ネットワーク経由で、閲覧しようとするＵＲＬとユーザの年齢を含む属性情報を伴う照会を受信すると、その年齢に対応してブロックする種別をパタン記憶手段５８から取得し、その種別についてブラックリスト記憶手段５６に記憶されている前記ブラックリストに前記ＵＲＬが含まれるか判定し、含まれると閲覧を不可、含まれないと閲覧を可、とする返信を行う（応答処理）。
【００７２】
〔３．基本的作用効果〕
以上のように、ウェブブラウザのツールバーからフィルタリング用サーバへ照会を行うことにより、ツールバー領域Ｔにおいてウェブ閲覧状況に応じた情報コンテンツの提供や利用、設定変更操作なども可能となり、ウェブ閲覧という好機をマーケティングやコンテンツ提供などに有効活用することが可能となる。
【００７３】
特に、個々のツールバーごとに設定してあるユーザの年齢などの属性に応じたフィルタリングパターンの適用により、個々のユーザに最適な過不足のないフィルタリングが実現できる。
【００７４】
〔４．ＬＡＮ内での集中管理〕
また、対象側端末Ｘを所定の管理側端末Ｙから管理する態様も考えられる。すなわち、上記のようなツールバープログラムＰ２をインストールした一又は二以上のコンピュータを管理の対象側端末Ｘとし、管理側端末ＹとＬＡＮで接続して用いるフィルタリングシステム（フィルタリング方法）として、本発明を把握することも可能である。この場合、管理側端末Ｙは、操作及び情報の入力部Ｅと、情報の記憶部Ｍと、ネットワーク通信のための通信部Ａと、画面表示部Ｄと、制御部Ｃとを備え、対象側端末ＸのツールバープログラムＰ２と通信する設定側プログラムＰ３をインストールしたコンピュータである。
【００７５】
この管理側端末Ｙの設定側プログラムＰ３及び制御部Ｃにより、設定部２０（設定手段）と、情報部２５（情報手段）と、を実現する。このうち、設定部２０は、各対象側端末ＸのツールバープログラムＰ２に対して、対象側端末Ｘごと、対象側端末Ｘにログインするユーザごと、又は日時帯ごと、のいずれか又は二以上を組み合わせた対象条件ごとに、フィルタリング又は他の動作について条件の設定を行う。また、情報部２５は、上記のような対象条件ごとに、対象側端末からのアクセス履歴を対象側端末ＸやサーバシステムＳから受信して一覧表示し、又は集計グラフ表示（例えば、ブロックされた照会の前記各種別の割合を集計した集計グラフなど）、情報（例えばお勧めサイトなど）の配信、の少なくともいずれかを行う（情報表示処理）。
【００７６】
このように、家庭、学校、職場などでツールバーによるフィルタリングを適用する端末、ユーザ、時間帯ごとに、異なるフィルタリング条件等の設定やアクセス履歴の閲覧などを管理側端末から行うことにより、端末ごとの用途や設置場所などに適した個別具体的できめ細かい運用管理を、楽に効率よく集中して行うことが可能となる。
【００７７】
〔５．サマリー表示〕
また、表示が許可又は禁止されたＵＲＬのサマリーをサーバから管理側端末Ｙに表示させてもよい。この例は、上記の対象側端末Ｘと管理側端末ＹとルックアップサーバＦＳとを通信ネットワーク（ＬＡＮ及びインターネットＩ）経由で組み合わせたフィルタリングシステム（フィルタリング方法）を想定するが、適宜変形しての実施及び把握が可能である。
【００７８】
そして、管理側端末Ｙで前記対象条件の指定とともに入力される要求操作に応じて、ルックアップサーバＦＳが、その対象条件に係る対象側端末Ｘにおいて前記照会により表示が許可され又は禁止されたＵＲＬのウェブページについて、履歴を所定の記憶手段に蓄積しておくと共にその履歴に基づき、各ウェブページのサマリーを管理側端末Ｙへ送信して表示させる。
【００７９】
サマリーは、例えば、ウェブページ内に繰り返し登場する頻出文字列（最頻単語）を文字列間の照合により特定して用いたり、ウェブページ内の画像の一部を用いるもので、それらはサーバのオペレータが手動選択してもよい。また、対象側端末Ｘが表示を要求し、前記照会により表示が許可され又は禁止された各ＵＲＬの又はその配下のウェブページに、管理側端末Ｙの情報部２５がアクセスすることにより頻出文字列又は画像の少なくとも一方を含むサマリーを表示するようにしてもよい。
【００８０】
履歴の蓄積とサマリーの生成は管理側端末Ｙで行ってもよい。この場合、管理側端末Ｙでは、履歴記憶手段２６が、対象側端末Ｘから、閲覧操作を行ったＵＲＬの履歴を受信し履歴記憶手段２７に記憶させる。また、サマリー表示手段２７が、履歴記憶手段２６に記憶されている履歴中の各ウェブページ又はそのリンク先、配下もしくは上位のディレクトリ内のウェブページにアクセスし、各ウェブページ内の文字列又は画像の一部をサマリーとして表示させる。
【００８１】
このように、対象側端末で表示が許可又は禁止されたＵＲＬのウェブサイトについて、管理側単端末で単なるＵＲＬの表示だけでなく、頻出単語や画像などのサマリー表示を行うことにより、内容を一見して把握容易になり、より実態に即し目的に合ったフィルタリングの管理が可能となる。
【００８２】
〔６．ログの分析と活用〕
また、対象側端末Ｘについてその照会に基づきログ分析結果をマーケティング等に活用したり、コンテンツ提供を行ってもよい。この例は、クライアントシステムである対象側端末Ｘと、一又は二以上のサーバシステム（例えば、ログサーバＬＳ及びコンテンツサーバＣＳなど）と、を通信ネットワーク（ＬＡＮ及びインターネットＩ）経由で組み合わせたフィルタリングシステム（フィルタリング方法）を想定するが、適宜変形しての実施及び把握が可能である。
【００８３】
そして、対象側端末Ｘ側は、ツールバープログラムＰ２において保持するシリアルキーなどの識別情報を伴う前記照会を前記サーバシステム側へ送信し、前記サーバシステム側では、例えばログサーバＬＳが、対象側端末Ｘの前記識別情報を伴う前記照会に基づいて、各対象側端末Ｘからアクセスしようとしたウェブサイト（ＵＲＬ）のアクセスログを記録するとともに、そのアクセスログを集計する。また、コンテンツサーバＣＳが、前記集計の結果と所定の分析処理条件に基づいて、その対象側端末Ｘのツールバー領域Ｔへ提供する前記情報コンテンツへ反映させる。例えば、曜日や時間帯で多く閲覧するテーマのニュースやウェブサイトをお勧めするなどが考えられる。
【００８４】
図２に即して見ると、サーバシステムＳにおいて、まず、コンテンツ提供手段６２が、対象システムへ情報コンテンツを提供する（コンテンツ提供処理）。コンテンツは適宜、予めコンテンツ記憶手段６４に記憶させたものを読み出したり、他のサーバシステムから提供させる。また、アクセスログ記憶手段６６が、対象システムからの照会に基づき、アクセスしようとしたＵＲＬのアクセスログを記憶する（アクセスログ記憶処理）。さらに、ユーザの年齢又はアクセスログで成立すべき条件と、情報コンテンツの範囲ごとの提供可否と、を対応付けて条件記憶手段６８に予め記憶させておく。
【００８５】
そして、判断反映手段７０が、アクセスログ記憶手段６６に記憶されているアクセスログ又はユーザの年齢について、条件記憶手段６８に記憶されている前記条件の成否を判断することにより、対応する情報コンテンツの範囲ごとの提供可否を判断してコンテンツ提供手段６２によるコンテンツ提供処理に反映させる（判断反映処理）。
【００８６】
このように、ツールバーからフィルタリング用の照会で送信される識別情報によりユーザを正確に識別し、年齢やそのアクセスログの分析結果をツールバーへ提供する情報コンテンツに反映させることにより、ウェブ閲覧という好機を確実容易に活用し、マーケティング、プロモーションなどさまざまな用途に最大限活用可能となる。
【００８７】
〔７．ログ提供レベルに応じたコンテンツ提供の差別化〕
また、どの程度まで詳細に上記アクセスログを提供するかに応じて、コンテンツ提供の差別化を図ってもよい。この場合、クライアントシステムである対象側端末Ｘについて、ツールバープログラムＰ２により、又は管理側端末Ｙにおいて設定側プログラムＰ３により、上記アクセスログの収集をどの程度認めるか、例えば、サイトトップのドメイン名まで、ホスト名もしくはサブドメイン名まで、又は何段目（何階層目）のディレクトリまで認めるか、特定のテーマに関する分は認めないなどの選択を受け付け、ツールバープログラムＰ２又はコンテンツサーバＣＳは、そのようなアクセスログの収集をどの程度認めるかに応じて、異なる範囲の前記情報コンテンツを提供する。例えば、ニュースのヘッダのみ又は本文までとか、プロモーションビデオのストリーミング提供の有無などといった差別化が考えられる。
【００８８】
このような処理は、図２のサーバシステムＳでも可能であり、この場合、サーバシステムＳのログ程度選択受付手段７２が、対象システムについてアクセスログの収集をどの程度まで認めるかについて、ドメイン名まで、ホスト名もしくはサブドメイン名まで、又は配下ディレクトリの何階層目まで認めるかの選択を受け付けて選択内容を記憶する（ログ程度選択受付処理）。そして、判断反映手段７０が、判断反映処理において、ログ程度選択受付処理７２での選択内容に応じて、情報コンテンツについて異なる提供範囲をコンテンツ提供手段６２（コンテンツ提供処理）に反映させる。
【００８９】
このように、アクセスログ提供の程度選択を受け付けることによりユーザの自由意思とプライバシーを尊重するとともに、その程度に応じて提供コンテンツを差別化することにより、公平な条件で各ユーザに最大限のアクセスログ提供を促すことができる。
【００９０】
〔８．成長するツールバー〕
また、対象側端末Ｘからのアクセス内容に応じツールバーが成長するようにしてもよい。この例は、上記のようなフィルタリング方法を用いるためにクライアントプログラム（例えば、ツールバープログラムＰ２）をインストールしたコンピュータであるクライアントシステムすなわち対象側端末Ｘと、フィルタリング用サーバシステム（例えば、ルックアップサーバＦＳ、ログサーバＬＳやコンテンツサーバＣＳ）又はウェブアクセス先となるウェブサーバ（システム）ＷＳの少なくとも一方のサーバシステムと、をインターネットＩで組み合わせるフィルタリングシステム（フィルタリング方法）を想定するが、適宜変形しての実施及び把握が可能である。
【００９１】
そして、前記サーバシステム（例えば、ウェブサーバＷＳ）は、対象側端末Ｘが所定の前記属性情報（例えば、特定の性別や年代など）を持ち、所定のＵＲＬ（例えば、ファッション商品のブランドに関連した情報提供サイトなど）へウェブアクセスし、及び、そのウェブアクセスにより所定の課題を達成したこと（例えば、アンケートに答えたり、購入した商品のシリアル番号を入力したり、簡単なゲームをクリアするなど）、のうち一つ又は二以上の組合せを検出した場合に、所定の表示許諾情報をその対象側端末Ｘへ返信する。
【００９２】
一方、その対象側端末ＸではツールバープログラムＰ２が制御部Ｃにより変化制御部３５を実現する。この変化制御部３５は、前記所定の表示許諾情報を受信した場合に、ツールバー領域Ｔにおける表示又は選択可能な機能について所定の変化（例えば、マスコットキャラクタの外観が変化するなど）を生じさせる（変化制御処理）。
【００９３】
図２に即して改めて整理すると、サーバシステムＳにおいて、条件記憶手段４４に、対象システムがどのような属性情報を持ち、かつ、どのＵＲＬへアクセスしたときに又はどのＵＲＬへアクセスしてどのような課題を達成したときに、前記グラフィックキャラクタを表示させ又はその外観をどのように変化させるか、の変化条件を記憶させておく。
【００９４】
そして、判断反映手段７０が、それらＵＲＬへのアクセスと、前記課題の達成と、それらアクセスないし達成にかかる対象システムの前記属性情報と、の情報をその対象システム又はＵＲＬに対応する（提携先企業等の）ウェブサーバＷＳから受信し、受信した情報に基づいて条件記憶手段４４に記憶された前記変化条件の成立を判断し、前記グラフィックキャラクタもしくは機能部品を表示させ又はその外観もしくは機能をどのように変化させるかを制御する制御情報を、対象システムのクライアントプログラムに送信する（判断反映処理）。
【００９５】
対象システムでは、フィルタリング用クライアントプログラムが実現する変化制御部３５が変化制御手段として、上記のように所定のサーバシステムから送信される制御情報に基づいて、グラフィックキャラクタもしくは機能部品を画面表示し又はその外観もしくは機能を変化させる（変化制御処理）。
【００９６】
また、上記のようなツールバーの成長すなわち変化は、サーバに依存せず実現することもできる。この場合、対象側端末ＸのツールバープログラムＰ２が制御部Ｃにより、所定の前記属性情報を持ち、所定のＵＲＬへアクセスし、及び、所定の課題を達成したこと、のうち一つ又は二以上の組合せを検出した場合に、ツールバー領域Ｔにおける表示又は選択可能な機能について所定の変化を生じさせる（変化制御処理）。
【００９７】
図２に即して改めて整理すると、変化条件を記憶する条件記憶手段４４を対象システムに設け、同様に対象システムに設ける判断反映手段７４が、ウェブブラウザから動作内容の情報を得て条件記憶手段４４に記憶された変化条件の成立を検出して、変化制御部３５による変化制御処理に反映させる（反映処理）。
【００９８】
以上のように、年齢などの属性、訪問したウェブサイト、達成した課題（ゲームやアンケートなど）などの組合せに応じ、ツールバーで特定のキャラクタを表示させたり、特定の機能を利用可能にするなどの変化を生じさせることにより、利用内容に合った最適な使い勝手を実現し、飽きを防ぐとともに、ツールバーの積極的な利用を効果的に動機付けすることが可能となる。
【００９９】
〔９．回数通知と設定変更〕
また、本実施形態では、閲覧のブロック回数によって、管理者などの確認操作を経てフィルタリングの設定を変更することができる。この場合、事前に、サーバの設定受付手段７６は、各対象システムに対応する所定の管理者ユーザの用いるクライアントシステムからの前記通信ネットワーク経由でのアクセスを認証のうえで、対象システムについて、制限回数（例えば１０回など）と、通知先電子メールアドレスと、の指定入力を受け付けて個別設定記憶手段７８に記憶させる。
【０１００】
そして、超過通知手段８０が、フィルタリングにおいて、対象システムについて、応答手段６０が不可とした返信の回数をカウントしてゆき、この回数が個別設定記憶手段７８に記憶されている前記制限回数を超過したかを監視し超過したときに、対応する通知先電子メールアドレスに、ウェブ又は電子メールの一以上の応答用アドレスを記載した通知電子メールを送信する。
【０１０１】
また、設定変更手段８２は、前記通知電子メールに記載した前記応答用アドレスへの応答アクセス（例えば、ウェブアクセスや電子メールの返信など）の有無、又は複数の応答用アドレスのどれに応答アクセスがあったか、に基づいて、全部又は一部のウェブ閲覧を禁止し、又はフィルタリング対象の種別又は他のフィルタリング設定を変更する。例えば、電子メール本文に２つのＵＲＬを記載し、一方をクリックするとウェブ閲覧全面禁止となり、他方をクリックするとホワイトリストなど所定の推奨サイト以外が閲覧禁止となるなどである。
【０１０２】
このように、フィルタリングでブロックされた回数が予め設定した回数を超えると、電子メールで親などに通知し、応答操作に応じたウェブ閲覧禁止やフィルタリング設定変更により、保護者など管理者のポリシーといった個別具体的な事情に応じたアクセス管理が可能となる。
【０１０３】
〔１０．キャラクタの外観変化と閲覧制限〕
また、本実施形態では、ブラックリストとホワイトリストに基づきアバター等のマスコットキャラクタの外見や状態を変化させ、限度を超えるとウェブ閲覧を制限することもできる。この場合、サーバでは、ＵＲＬのホワイトリストをホワイトリスト記憶手段８４に予め記憶しておき、応答手段６０により、対象システムから受信したＵＲＬがホワイトリスト記憶手段８４に記憶されている場合に、閲覧を可とすると共にホワイトリストに含まれる旨を返信する、返信処理を実行する。
【０１０４】
一方、対象システムでは、状態スコアの初期値と、順次更新されてゆく値を、状態記憶手段４６に記憶する。また、アバター等のマスコットキャラクタの画面表示に用いる、肯定的な第一のパタン画像（例えば、笑ったり飛び跳ねて喜ぶ様子など）と、これとはデザインの異なる否定的な第二のパタン画像（泣いたり落胆する様子など）と、をキャラクタ記憶手段４７に予め記憶しておく。
【０１０５】
これらを用いて、キャラクタ状態制御手段４８が、閲覧を可とするとともにホワイトリストに含まれる旨の返信をサーバシステムから受信したときは、キャラクタ記憶手段４７に記憶された肯定的な前記第一のパタン画像を表示するとともに、状態記憶手段に記憶されている状態スコアを改善させ、また、サーバから閲覧を不可とする返信を受信したときは、前記否定的な第二のパタン画像を表示するとともに、状態記憶手段に記憶されている状態スコアを悪化させる。
【０１０６】
そして、閲覧制限手段４９は、状態記憶手段４６に記憶されている状態スコアが、予めメモリやプログラムに設定されている所定値まで悪化すると、全てのウェブ閲覧を禁止し、又は所定の種別のウェブ閲覧を禁止したり、又は、ホワイトリスト記憶手段に記憶された推奨リスト以外のＵＲＬのウェブ閲覧を禁止する。
【０１０７】
このように、ブラックリストだけでなく健全な教育的見地等に基づくホワイトリストを用意し、ブラックリストでの閲覧ブロックの際は嫌がるキャラクタなど否定的な第一のパタン画像などを表示して状態スコアを悪化させ、逆にホワイトリストを閲覧すれば喜ぶキャラクタなど肯定的な第二のパタン画像などを表示して状態スコアを改善させ、状態スコアが所定値まで悪化するとウェブ閲覧を制限することにより、子供などの対象者を有害サイトから遠ざけ、好ましいサイトの閲覧に、自然に誘導することが容易になる。また、パタン画像の使い分けによりキャラクタの外見変化が容易になる。
【０１０８】
〔１１．年齢別設定の集計〕
また、本実施形態では、個別の対象システムにつき種別ごとの閲覧可不可を設定する場合、同年齢の設定内容を集計した平均値をデフォルトの初期値とすることもできる。この場合、サーバの設定受付手段７６は、各対象システムに対応する所定の管理者ユーザの用いるクライアントシステムからの前記通信ネットワーク経由でのアクセスを認証のうえ、対象システムについて、対象のユーザの年齢に応じパタン記憶手段５８からコピーし又は種別ごとに個別に指定される閲覧可否に応じて、どの前記種別をブロックするかのフィルタリング設定を個別設定記憶手段７８に記憶させる。
【０１０９】
この際、設定受付手段７６は、個別設定記憶手段７８に記憶されている多数のフィルタリング設定をもとに、種別ごとに選択されている閲覧可否を、対象システムのユーザの年齢別に予め集計しておき、種別ごとの閲覧可否の設定を受け付けるための設定画面のウェブページにおいて、可又は不可のより多い選択肢を（又は選択肢に加え、参考情報として可と不可の比や実数を）初期値として表示する。
【０１１０】
このように、個別ユーザにつき親などの管理者が種別ごとに閲覧可不可を設定する際、同年齢の設定内容の平均を初期値とすることにより、世間の親の平均的な考えを指針としながら、家庭独自のポリシーを適用可能となる。
【０１１１】
〔１２．許容回数の設定〕
また、本実施形態では、閲覧を禁じる種別にある程度の許容回数を設定可能とすることもできる。この場合、サーバの設定受付手段７６は、各対象システムに対応する所定の管理者ユーザの用いるクライアントシステム（例えば管理側端末Ｙ）からの前記通信ネットワーク経由でのアクセスを認証のうえ、対象システムについて、種別ごと又は合計について、ページリクエストの許容回数の設定を受け付けて個別設定記憶手段７８に記憶させる。そして、応答手段６０が、パタン記憶部や個別設定記憶手段７８に基づいて閲覧を不可とすべきＵＲＬであっても、前記許容回数までは閲覧を可とする。
【０１１２】
このように、本来は閲覧不可の種別についても、親などの判断で許容回数を設定できることにより、教育目的など個別具体的な事情に応じた柔軟な活用が可能となる。
【図面の簡単な説明】
【０１１３】
【図１】本発明の実施形態の構成を示す機能ブロック図。
【図２】本発明の実施形態の構成を機能手段を中心に示す機能ブロック図。
【符号の説明】
【０１１４】
Ｘ…対象側端末
Ｙ…管理側端末
Ｉ…インターネット
Ａ…通信部
Ｃ…制御部
Ｄ…画面表示部
Ｅ…入力部
Ｍ…記憶部
Ｎ…通信部
Ｗ…表示ウィンドウ
Ｔ…ツールバー領域
Ｐ１…ウェブブラウザ（プログラム）
Ｐ２…ツールバープログラム
Ｐ３…ツールバー設定側プログラム
ＤＳ…導入／更新用サーバ
ＦＳ…フィルタリング用ルックアップサーバ
ＬＳ…ログサーバ
ＣＳ…コンテンツサーバ
ＷＳ…ウェブサーバ
５…照会制御部
１０…ツールバー制御部
１５…属性情報
２０…設定部
２５…情報部
２６…履歴記憶手段
２７…サマリー表示手段
２７…履歴記憶手段
３０…コンテンツ処理部
３５…変化制御部
４０…属性記憶手段
４２…属性情報受付手段
４４…条件記憶手段
４６…状態記憶手段
４７…キャラクタ記憶手段
４８…キャラクタ状態制御手段
４９…閲覧制限手段
５２…通信部
５４…演算制御部
５６…ブラックリスト記憶手段
５８…パタン記憶手段
６０…応答手段
６２…コンテンツ提供手段
６４…コンテンツ記憶手段
６６…アクセスログ記憶手段
６８…条件記憶手段
７０，７４…判断反映手段
７２…ログ程度選択受付手段
７６…設定受付手段
７８…個別設定記憶手段
８０…超過通知手段
８２…設定変更手段
８４…ホワイトリスト記憶手段
【図１】
2006302265.tif 000003
【図２】
2006302265.tif 000004